(57)【要約】【課題】  本発明は、各商品の販売形態毎の販売単価を設定できる卸売業・販売単価設定システムを提供する。【解決手段】  各商品に複数種から１の仕入強度を割当る。各仕入強度には、複数区分の価格帯を割当て、各価格帯を各販売形態に対応付ける。各価格帯に価格掛け率を割当る。販売管理サーバは、指定商品の各販売形態について、指定商品の仕入強度において販売単価の属する価格帯の価格掛け率及び販売単価を積算して、割引販売単価を設定する。【選択図】  図１
2015082229.tif 000002
【特許請求の範囲】
【請求項１】
生産者から複数種の商品を仕入れ、前記商品毎に複数種の販売形態を設定して、前記各販売形態で消費者又は小売御者等の商品購入者に前記各商品を販売する卸売業において、
商品管理データベースと、卸売業者に使用される商品管理端末と、前記商品購入者に使用される商品購入者端末と、前記商品購入者端末にネットワークを通して接続される販売管理サーバと、を備える卸売業・販売単価設定システムであって、
［１］前記商品管理サーバは、
前記各商品に割当る商品コード、
複数種の仕入強度、
前記商品コード毎の前記各販売形態の販売単価、
複数区分の価格帯でなる価格帯群、
前記各価格帯に割当る価格掛け率、
を含む、前記各商品の商品管理データを記憶し、
前記各商品の商品管理データについて、
複数種の前記仕入強度は、前記商品コード毎に１の仕入強度を割当て、
前記価格帯群は、前記各仕入強度に割当られて、前記各販売形態に対応付けられ、
前記価格掛け率は、前記各仕入強度の同一価格帯に属する前記各販売形態で相違し、及び一の前記仕入強度の同一価格帯に属する前記各販売形態で同一又は相違し、
［２］前記商品管理端末は、
前記卸売業者の操作に基づき、前記各商品の商品管理データを前記商品管理サーバに送信する商品管理制御手段を備え、
前記商品管理手段は、
前記各商品の商品管理データのうち、
前記各商品コード、
前記商品コード毎の前記各販売形態の前記販売単価、
前記各商品コードの前記仕入強度において、前記各販売形態の前記販売単価が属する前記価格帯の前記価格掛け率、
を含む、前記各商品の販売管理データを前記販売管理サーバに送信し、
［３］前記販売管理サーバは、
前記各商品の販売管理データを記憶する販売管理記憶手段と、
前記各商品の販売管理データを受信して、前記販売管理記憶手段に記憶する販売管理制御手段と、を備え、
［４］前記商品購入者端末は、
前記商品購入者の操作に基づき、複数種の前記商品から商品を指定し、指定商品の前記商品データを前記販売管理サーバに送信し、
［５］前記販売管理サーバにおいて、
前記販売管理制御手段は、
前記指定商品の前記商品コードに基づき、前記販売管理記憶手段から前記指定商品の前記各販売形態の前記販売単価、及び前記指定商品の前記各販売形態の前記価格掛け率を読出し、
前記指定商品の前記各販売形態について、前記販売単価及び前記価格掛け率を積算して、割引販売単価を設定する
ことを特徴とする卸売業・販売単価設定システム。
【請求項２】
生産者から複数種の商品を仕入れ、前記商品毎に複数種の販売形態を設定して、前記各販売形態で消費者又は小売業者等の商品購入者に前記各商品を販売する卸売業者において、
商品管理データベースと、卸売御者に使用される商品管理端末と、前記商品購入者に使用される商品購入者端末と、前記商品購入者端末にネットワークを通して接続される販売サーバと、を備える卸売業・販売単価設定システムであって、
［ａ］前記商品管理サーバは、
前記各商品に割当てる商品コード、
複数種の仕入強度、
前記商品コード毎の前記各販売形態の販売単価、
複数区分の価格帯でなる価格帯群、
前記各価格帯に割当る価格掛け率、
を含む、前記各商品の商品管理データを記憶し、
前記各商品の商品管理データについて、
複数種の前記仕入強度は、前記商品コード毎に１の仕入強度を割当て、
前記価格帯群は、前記各仕入強度に割当られて、前記各販売形態に対応付けられ、
前記価格掛け率は、前記各仕入強度の同一価格帯に属する前記販売形態で相違し、及び一の前記仕入強度の同一価格帯に属する前記各販売形態で同一又は相違し、
［ｂ］前記商品管理端末は、
前記卸売業者の操作に基づき、前記各商品の商品管理データを前記商品管理サーバに送信する商品管理制御手段を備え、
前記商品管理制御手段は、
前記各商品の各販売形態について、前記販売単価及び前記価格掛け率を積算して、割引販売単価を設定し、
前記商品管理データのうち、前記各商品コード、前記商品コード毎の前記各販売形態の前記販売単価、及び前記商品コード毎の前記各販売形態の前記割引販売単価
を含む、前記各商品の販売管理データを前記販売管理サーバに送信し、
［ｃ］前記販売管理サーバは、
前記各商品の販売管理データを記憶する販売管理記憶手段と、
前記各商品の販売管理データを受信して、前記販売管理記憶手段に記憶する販売管理制御手段と、を備え、
［ｄ］前記商品購入者端末は、
前記商品購入者の操作に基づき、複数種の前記商品から商品を指定し、指定商品の前記商品データを前記販売管理サーバに送信し、
［ｅ］前記販売管理サーバにおいて、
前記販売管理制御手段は、
前記指定商品の前記商品コードに基づき、前記販売管理記憶手段から前記指定商品の前記割引販売単価を読出す
ことを特徴とする卸売業・販売単価設定システム。
【請求項３】
生産者から複数種の商品を仕入れ、前記商品毎に販売形態を設定して、前記販売形態で消費者又は小売御者等の商品購入者に前記各商品を販売する卸売業において、
商品管理データベースと、卸売業者に使用される商品管理端末と、前記商品購入者に使用される商品購入者端末と、前記商品購入者端末にネットワークを通して接続される販売管理サーバと、を備える卸売業・販売単価設定システムであって、
［Ａ］前記商品管理データベースは、
前記各商品に割当る商品コード、
複数種の仕入強度、
複数区分の価格帯でなる価格帯群、
前記各価格帯に割当る価格掛け率
を含む、前記各商品の商品管理データを記憶し、
前記各商品の商品管理データについて、
複数種の前記仕入強度は、前記商品毎に１の仕入強度を割当て、
前記価格帯群は、前記各仕入強度に割り当られて、前記販売形態に対応付けられ、
前記各価格掛け率は、前記各仕入強度の同一価格帯に属する前記販売形態で相違し、
［Ｂ］前記商品管理端末は、
前記卸売業者の操作に基づき、前記各商品の商品管理データを前記商品管理データベースに送信する商品管理制御手段を備え、
前記商品管理制御手段は、
前記各商品の商品管理データのうち、
前記各商品コード、
前記商品コード毎の前記販売形態の前記販売単価、
前記各商品コードの前記仕入強度において、前記販売形態の前記販売単価が属する前記価格帯の前記価格掛け率、
を含む、前記各商品の販売管理データを前記販売管理サーバに送信し、
［Ｃ］前記販売管理サーバは、
前記各商品の販売管理データを記憶する販売管理記憶手段と、
前記各商品の販売管理データを受信して、前記販売管理記憶手段に記憶する販売管理制御手段と、を備え、
［Ｄ］前記商品購入者端末は、
前記商品購入者の操作に基づき、複数種の前記商品から商品を指定し、指定商品の前記商品コードを前記販売管理サーバに送信し、
［Ｅ］前記販売管理サーバにおいて、
前記販売管理制御手段は、
前記指定商品の前記商品コードに基づき、前記販売管理記憶手段から前記指定商品の前記販売形態の前記販売単価、及び前記指定商品の前記販売形態の前記価格掛け率を読出し、
前記指定商品の前記販売形態について、前記販売単価及び前記価格掛け率を積算して、割引販売単価を設定する
ことを特徴とする卸売・販売単価設定システム。
【発明の詳細な説明】
【技術分野】
【０００１】
本発明は、商品毎に販売形態を設定し、販売形態で消費者又は小売業者等の商品購入者に商品を販売する卸売業において、販売形態の販売単価を設定する卸売業・販売単価決定システムに関する。
【背景技術】
【０００２】
商品の販売システムとして、特許文献１は、商品毎に、通常価格及びランク別の単価を設定し、顧客の買上げ実績に基づいてランクを設定する販売システムを開示する。顧客は、ランクに対応する商品の単価で商品を買上げる。
【０００３】
特許文献１に開示した販売システムでは、商品毎に複数種の販売形態（例えば、バラ販売形態、箱販売等の形態）を設定し、販売形態毎に販売単価を設定できない。
【先行技術文献】
【特許文献】
【０００４】
【特許文献１】特開２００１−２３６５７３号公報
【発明の概要】
【発明が解決しようとする課題】
【０００５】
本発明は、各商品の販売形態毎に販売単価を設定できる卸売業・販売単価設定システムを提供することにある。
【課題を解決するための手段】
【０００６】
本発明に係る請求項1は、生産者から複数種の商品を仕入れ、前記商品毎に複数種の販売形態を設定して、前記各販売形態で消費者又は小売業者等の商品購入者に前記各商品を販売する卸売業において、商品管理データベースと、卸売業者に使用される商品管理端末と、前記商品購入者に使用される商品購入者端末と、前記商品購入者端末にネットワークを通して接続される販売管理サーバと、を備える卸売業・販売単価設定システムであって、［１］前記商品管理データベースは、前記各商品に割当る商品コード、複数種の仕入強度、前記商品コード毎の前記各販売形態の販売単価、複数区分の価格帯でなる価格帯群、前記各価格帯に割当る価格掛け率を含む、前記各商品の商品管理データを記憶し、前記各商品の商品管理データについて、複数種の前記仕入強度は、前記商品コード毎に１の仕入強度を割当て、前記価格帯群は、前記各仕入強度に割当られて、前記各販売形態に対応付けられ、前記価格掛け率は、前記各仕入強度の同一価格帯に属する前記各販売形態で相違し、及び一の前記仕入強度の同一価格帯に属する前記各販売形態で同一又は相違し、［２］前記商品管理端末は、前記卸売業者の操作に基づき、前記各商品の商品管理データを前記商品管理データベースに送信する商品管理制御手段を備え、前記商品管理制御手段は、前記各商品の商品管理データのうち、前記各商品コード、前記商品コード毎の前記各販売形態の前記販売単価、前記各商品コードの前記仕入強度において、前記各販売形態の前記販売単価が属する前記価格帯の前記価格掛け率を含む、前記各商品の販売管理データを前記販売管理サーバに送信し、［３］前記販売管理サーバは、前記各商品の販売管理データを記憶する販売管理記憶手段と、前記各商品の販売管理データを受信して、前記販売管理記憶手段に記憶する販売管理制御手段と、を備え、［４］前記商品購入者端末は、前記商品購入者の操作に基づき、複数種の前記商品から商品を指定し、指定商品の前記商品コードを前記販売管理サーバに送信し、［５］前記販売管理サーバにおいて、前記販売管理制御手段は、前記指定商品の前記商品コードに基づき、前記販売管理記憶手段から前記指定商品の前記各販売形態の前記販売単価、及び前記指定商品の前記各販売形態の前記価格掛け率を読出し、前記指定商品の前記各販売形態について、前記販売単位及び前記価格掛け率を積算して、割引販売単価を設定することを特徴とする卸売業・販売単価設定システムである。
【０００７】
本発明に係る請求項２は、生産者から複数種の商品を仕入れ、前記商品毎に複数種の販売形態を設定して、前記各販売形態で消費者又は小売業者等の商品購入者に前記各商品を販売する卸売業において、商品管理データベースと、卸売業者に使用される商品管理端末と、前記商品購入者に使用される商品購入者端末と、前記商品購入者端末にネットワークを通して接続される販売管理サーバと、を備える卸売業・販売単価設定システムであって、［ａ］前記商品管理サーバは、前記各商品に割当てる商品コード、複数種の仕入強度、前記商品コード毎の前記各販売形態の販売単価、複数区分の価格帯でなる価格帯群、を含む、前記各商品の商品管理データを記憶し、前記各商品の商品管理データについて、複数種の前記仕入強度は、前記商品コード毎に１の仕入強度を割当て、前記価格帯群は、前記各仕入強度に割当られて、前記各販売形態に対応付けられ、前記価格掛け率は、前記各仕入強度の同一価格帯に属する前記販売形態で相違し、及び一の前記仕入強度の同一価格帯に属する前記各販売形態で同一又は相違し、［ｂ］前記商品管理端末は、前記卸売業者の操作に基づき、前記各商品の商品管理データを前記商品管理データベースに送信する商品管理制御手段を備え、前記商品管理手段は、前記各商品の各販売形態について、前記販売単価及び前記価格掛け率を積算して、割引販売単価を設定し、前記商品管理データのうち、前記各商品コード、前記商品コード毎の前記各販売形態の前記販売単価、及び前記商品毎の前記各販売形態の前記割引販売単価を含む、販売管理データを前記販売管理サーバに送信し、［ｃ］前記販売管理サーバは、前記各商品の販売管理データを記憶する販売管理記憶手段と、前記各商品の販売管理データを受信して、前記販売管理記憶手段に記憶する販売管理制御手段と、を備え、［ｄ］前記商品管理端末は、前記商品購入者に操作に基づき、複数種の前記商品から商品を指定し、指定商品の前記商品データを前記販売管理サーバに送信し、［ｄ］前記販売管理サーバにおいて、前記販売管理制御手段は、前記指定商品の前記商品コードに基づき、前記販売管理手段から前記指定商品の前記割引販売単価を読出す、ことを特徴とする卸売業・販売単価設定システムである。
【０００８】
本発明に係る請求項３は、生産者から複数種の商品を仕入れ、前記商品毎に販売形態を設定して、前記販売形態で消費者又は小売御者等の商品購入者に前記各商品を販売する卸売業において、商品管理データベースと、卸売御者に使用される商品管理端末と、前記商品購入者に使用される商品購入者端末と、前記商品購入者端末にネットワークを通して接続される販売管理サーバと、を備える卸売業・販売単価設定システムであって、［Ａ］前記商品管理データベースは、前記各商品に割当る商品コード、複数種の仕入強度、複数区分の価格帯でなる価格帯群、前記各価格帯に割当る価格掛け率を含む、前記各商品の商品管理データを記憶し、前記各商品の商品管理データについて、複数種の前記仕入強度は、前記商品コード毎に１の仕入強度を割当て、前記価格帯群は、前記各仕入強度に割当られて、前記販売形態に対応付けられ、前記価格掛け率は、前記各仕入強度の同一価格帯に属する前記販売形態で相違し、［Ｂ］前記商品管理端末は、前記卸売業者の操作に基づき、前記各商品の商品管理データを前記商品管理データベースに送信する商品管理制御手段を備え、前記商品管理制御手段は、前記各商品の商品管理データのうち、前記各商品コード、前記商品コード毎の前記販売形態の前記販売単価、前記各商品コードの前記仕入強度において、前記販売形態の前記販売単価が属する前記価格帯の前記価格掛け率を含む、前記各商品の販売管理データを前記販売管理サーバに送信し、［Ｃ］前記販売管理サーバは、前記各商品の販売管理データを記憶する販売管理記憶手段と、前記各商品の販売管理データを受信して、前記販売管理記憶手段に記憶する販売管理制御手段と、を備え、［Ｄ］前記商品購入者端末は、前記商品購入者の操作に基づき、複数種の前記商品から商品を指定し、指定商品の前記商品コードを前記販売管理サーバに送信し、［Ｄ］前記販売管理サーバにおいて、前記販売管理制御手段は、前記指定商品の前記商品コードに基づき、前記販売管理記憶手段から前記指定商品の前記販売形態の前記販売単価、及び前記指定商品の前記販売形態の前記価格掛け率を読出し、前記指定商品の前記販売形態について、前記販売単価及び前記価格掛け率を積算して、割引販売単価を設定することを特徴とする卸売業・販売単価設定システムである。
【発明の効果】
【０００９】
本発明に係る請求項１は、商品毎に複数種の販売形態を設定し、販売形態毎に販売単価を設定できる。複数種の仕入強度には、価格帯群（複数区分の価格帯）を割当て、価格帯群は各販売形態に対応付ける（販売形態毎に価格帯群を区画する）。各販売形態の価格帯群について、各価格帯には、価格掛け率を割当てる。価格掛け率は、各仕入強度の同一価格帯に属する各販売形態で相違し、更に一の仕入強度の同一価格帯に属する各販売形態で同一又は相違する。複数種の仕入強度は、商品毎に１の仕入強度を割当る。卸売業者は、販売実態、例えば商品の販売戦略、又は競業する卸売業者の販売単価等に基づき、各商品に仕入強度を割当る。
商品購入者は、商品購入者端末を使用して、複数種の商品から商品を指定する。商品購入者端末は、指定商品の商品コードを販売管理サーバに送信する。販売管理サーバ（販売管理制御手段）は、指定商品の商品コードに基づき、指定商品の各販売形態について、指定商品の仕入強度において販売単価の属する価格帯の価格掛け率及び販売単価を積算して、割引販売単価を設定する。指定商品の各販売形態について、割引販売単価は、価格掛け率を積算していることから、割引された販売単価に設定される。割引販売単価は、各商品の仕入強度によって相違する。
各商品（指定商品）について、同一販売単価であっても、仕入強度を異にすることで、各販売形態の割引販売単価は相違する。従って、商品毎の各販売形態について、仕入強度を選択することで、販売実態に応じて指定商品の販売単価を設定できる。
卸売業者は、商品管理端末を使用して、各商品の商品管理データを登録又は更新でき、各商品の商品管理データは商品管理データベースに記憶される。これにより、商品購入者は、商品購入者端末を使用しても、商品管理サーバへ直接アクセスできない。
各販売形態には、販売単価及び販売単位（販売数量）を設定し、各販売形態相互で販売単価及び販売単位は相違する。
このように、各商品の販売実績に基づいて、各商品に最適な仕入強度を割当てることで、各商品の各販売形態の販売単価に、適正な価格掛け率を積算して、割引販売単価を設定しているので、卸売業者の商品販売による利益を適正にし、更に商品購入者に適性の販売単価で各商品（各販売形態）を販売できる。また、各仕入強度について、複数区分の価格帯に価格掛け率を割当るので、高販売単価の商品（販売形態）から低販売単価の商品まで、卸売御者は適正な販売単価を設定でき、商品購入者は適正な販売単価で商品を購入できることになる。
【００１０】
本発明に係る請求項２は、商品毎に複数種の販売形態を設定し、販売形態毎に販売単価を設定できる。複数種の仕入強度には、価格帯群（複数区分の価格帯）を割当て、価格帯群は各販売形態に対応付ける（販売形態毎に価格帯群を区画する）。各販売形態の価格帯群について、各価格帯には、価格掛け率を割当てる。価格掛け率は、各仕入強度の同一価格帯に属する各販売形態で相違し、更に一の仕入強度の同一価格帯に属する各販売形態で同一又は相違する。複数種の仕入強度は、商品毎に１の仕入強度を割当る。卸売業者は、販売実態、例えば商品の販売戦略、又は競業する卸売業者の販売単価等に基づき、各商品に仕入強度を割当る。
商品管理端末において、商品管理制御手段は、各商品の各販売形態について、販売単価及び価格掛け率を積算して、割引販売単価を設定する。
各商品（指定商品）について、同一販売単価であっても、仕入強度を異にすることで、各販売形態の割引販売単価は相違する。従って、商品毎の各販売形態について、仕入強度を選択することで、販売実態に応じて指定商品の販売単価を設定できる。
卸売業者は、商品管理端末を使用して、各商品の商品管理データを登録又は更新でき、各商品の商品管理データは商品管理データベースに記憶される。これにより、商品購入者は、商品購入者端末を使用しても、商品管理サーバへ直接アクセスできない。
各販売形態には、販売単価及び販売単位（販売数量）を設定し、各販売形態相互で販売単価及び販売単位は相違する。
商品管理端末（商品管理制御手段）において、予め割引販売単価を設定し、割引販売単価を販売管理サーバに記憶することで、販売管理サーバは、割引販売単価の積算（演算）をする必要がなく、処理負荷を低減できる。
【００１１】
本発明に係る請求項３は、商品毎に販売形態を設定し、販売形態の販売単価を設定できる。複数種の仕入強度には、価格帯群（複数区分の価格帯）を割当て、価格帯群は販売形態に対応付ける（販売形態に価格帯群を区画する）。販売形態の価格帯群について、各価格帯には、価格掛け率を割当てる。価格掛け率は、各仕入強度の同一価格帯に属する販売形態で相違する。複数種の仕入強度は、商品毎に１の仕入強度を割当る。卸売業者は、販売実態、例えば販売戦略、又は競業する卸売業者の販売単価に基づき、各商品に仕入強度を割当る。
商品購入者は、商品購入者端末を使用して、複数種の商品から商品を指定する。商品購入者端末は、指定商品の商品コードを販売管理サーバに送信する。販売管理サーバ（販売管理制御手段）は、指定商品の商品コードに基づき、指定商品の販売形態について、指定商品の仕入強度において販売単価の属する価格帯の価格掛け率及び販売単価を積算して、割引販売単価を設定する。指定商品の販売形態について、割引販売単価は、価格掛け率を積算していることから、割引された販売単価に設定される。割引販売単価は、各商品の仕入強度によって相違する。
各商品（指定商品）について、同一販売単価であっても、仕入強度を異にすることで、販売形態の割引販売単価は相違する。従って、商品毎の販売形態について、仕入強度を選択することで、販売実態に応じて販売単価を設定できる。
卸売業者は、商品管理端末を使用して、各商品の商品管理データを登録又は更新でき、各商品の商品管理データは商品管理データベースに記憶される。これにより、商品購入者が商品管理サーバへ直接アクセスすることを防止できる。
販売形態には、販売単価及び販売単位（販売数量）を設定する。
【図面の簡単な説明】
【００１２】
【図１】卸売業・販売単価設定システムの全体ブロック図である。
【図２】卸売業・販売単価設定システムであって、商品管理データベース（又はデータ管理サーバ）及び商品管理端末のブロック図である。
【図３】卸売業・販売単価設定システムであって、販売管理サーバのブロック図である。
【図４】卸売業・販売単価設定システムであって、商品購入者端末のブロック図である。
【図５】ホームページの画像図である。
【図６】会員登録用入力フォームの画像図である。
【図７】指定商品及び関連商品について、商品照会ページの画像図である。
【図８】指定商品について、商品照会ページの画像図である。
【図９】商品決算ページの画像図である。
【図１０】商品管理テーブルの構成図である。
【図１１】仕入強度（最下位強度）テーブルの構成図である。
【図１２】仕入強度（中位強度）テーブルの構成図である。
【図１３】仕入強度（最上位強度）テーブルの構成図である。
【図１４】会員管理テーブルの構成図である。
【図１５】会員・購入達成金額テーブルの構成図である。
【図１６】販売管理テーブル（バラ上代用）の構成図である。
【図１７】販売管理テーブル（箱上代用）の構成図である。
【図１８】卸売業・販売単価システムの全体フローチャート図である。
【図１９】商品管理データ／販売管理データ登録処理において、（ａ）は商品管理端末のフローチャート図、（ｂ）は販売管理サーバのフローチャート図である。
【図２０】会員登録処理において、商品購入者端末のフローチャート図である。
【図２１】会員登録処理において、販売管理サーバのフローチャート図である。
【図２２】商品販売処理において、商品購入者端末のフローチャート図である。
【図２３】商品販売処理において、販売管理サーバのフローチャート図である。
【図２４】購入累積金額等更新処理において、販売管理サーバのフローチャート図である。
【図２５】会員ランク更新処理において、販売管理サーバのフローチャート図である。
【図２６】会員ランク更新処理において、販売管理サーバのフローチャート図である。
【図２７】他の仕入強度（最下位強度）テーブルの構成図である。
【図２８】他の仕入強度（中位強度）テーブルの構成図である。
【図２９】他の仕入強度（最上位強度）テーブルの構成図である。
【発明を実施するための形態】
【００１３】
本発明の卸売業・販売単価設定システムについて、図１乃至図２９を参照して説明する。
【００１４】
図１乃至図２９において、卸売業・販売単価設定システムＸ（「パルテーブルランクシステム」とも称する。）は、生産者、卸売業者、及び消費者又は小売業者等の商品購入者の間で商品を売買する卸売業に適用する。
生産者は、１又は複数種の商品を製造又は生産する。
卸売業者は、１又は複数の生産者から複数種の商品を仕入れる。卸売業者は、商品毎に複数種の販売形態α１，α２を設定して、販売形態α１，α２で商品購入者に各商品を販売する。
各販売形態α１，α２には、販売単位（販売数量）β１，β２及び販売単価γ１，γ２を設定する。販売形態α１（第１販売形態）は、例えばバラ販売である。販売形態α２（第２販売形態）は、例えば箱販売である。各販売単価γ１，γ２は、商品１個当たりの価格であって、生産者から仕入れた価格（単価）に卸売業者の利益を乗せた希望小売単価である。
商品購入者は、各商品の販売形態α１，α２を選択し、販売形態α１（又はα２）の販売単位β１（又はβ２）に販売掛け数ｎ（ｎ＝１，２，３，…、ｎ：自然数）を積算した購入数量の単位で各商品を購入できる。
各商品は、例えば、横引き引手、開用引手、錠、吊戸金具、取手、手すり、撮・さがり、レール、戸車、戸当り、丁番、棚柱、棚受、フック、額受、釘、木ネジ、飾釘、民芸家具金物、寺社・仏間装飾金物、座敷金物、及び建築資材、工具、住宅設備関連資材である。なお、各商品は、上記商品に限定されない。
【００１５】
図１乃至図４において、卸売業・販売単価設定システムＸは、商品管理データベースＤＢ、商品管理端末１、販売管理サーバ２、１又は複数の商品購入者端末３、及びネットワークＷＡＮ（Wide  Area  Network）を備える。
【００１６】
図１及び図２において、商品管理データベースＤＢは、商品管理端末１にＬＡＮ（Local  Area  Network）を通して接続される。
商品管理データベースＤＢは、商品管理テーブルＴＢ１（図１０参照）、及び複数種の仕入強度テーブルＴＢ２〜ＴＢ４（図１１乃至図１３参照）を記憶する。
商品管理データベースＤＢは、各商品に割当る商品コード（商品名）Ｃ１、各商品に割当る商品グループコードＣ２、複数種の仕入強度δ１〜δ３、商品コードＣ１毎の各販売形態α１，α２の販売単位β１，β２、商品コードＣ１毎の各販売形態α１，α２の販売単価γ１，γ２、複数区分の価格帯φ１〜φ８でなる価格帯群φ、各価格帯φ１〜φ８に割当る価格掛け率θ１，θ２、及び各価格帯φ１〜φ８に割当るポイント掛け率θ３を含む、各商品の商品管理データｄ１を記憶する。
【００１７】
商品管理データベースＤＢは、商品管理テーブルＴＢ１において、各商品の商品管理データｄ１のうち、各商品コード（商品名）Ｃ１、各商品グループコードＣ２、各仕入強度δ１〜δ３、商品コードＣ１毎の各販売形態α１，α２の販売単位β１，β２、及び商品コードＣ１毎の各販売形態α１，α２の販売単価γ１，γ２を記憶する（図１０参照）。なお、仕入強度δ１は最下位強度、仕入強度δ２は中位強度及び仕入強度δ３は最上位強度である。
【００１８】
各商品コード（商品名）Ｃ１は、各商品の識別情報である。各商品グループコードＣ２は、同一分類（同一又は関連する機能、用途で分類）に属する商品に割当る。
商品管理テーブルＴＢ１において、例えば、商品名：GAに商品コードＣ２：0001及び商品グループコードＣ２：000Aを割当て、商品名：GBに商品コードＣ１：0002及び商品グループコードＣ２：000Aを割当て、商品名：GCに商品コードＣ１：0003及び商品グループコードＣ２：000Bを割当る（図１０参照）。
【００１９】
複数種の仕入強度δ１〜δ３は、商品コードＣ１（商品）毎に１の仕入強度を割当る（図１０参照）。各商品コードＣ１（各商品）には、各商品の販売実態（各商品の販売戦略、競業する卸売業者の販売単価等）に基づいて、複数種から１の仕入強度を割当る。
商品管理データＴＢ１において、例えば、商品コードＣ１：0001（商品名：GA）に仕入強度δ１を割当て、商品コードＣ１：0005（商品名：GE）に仕入強度δ２を割当て、商品コードＣ１：0010（商品名：GJ）に仕入強度δ３を割当る。
【００２０】
各販売単位β１，β２は、商品コードＣ１毎の各販売形態α１，α２に割当る（図１０参照）。
商品管理テーブルＴＢ１において、例えば、商品コードＣ２：0001（商品名：GA）に販売単位β１：3個及び販売単位β２：36個を割当て、商品コードＣ２：0002（商品名：GB）に販売単位β１：「−」及び販売単位β２：36個を割当る。図１０において、販売単位β１：「−」は、販売形態α１で商品を販売しない。
【００２１】
各販売単価γ１，γ２は、商品コードＣ１(商品）毎の各販売形態α１，α２に割当る（図１０参照）。
商品情報テーブルＴＢ１において、例えば、商品コードＣ１：0001（商品名：GA）に販売単価γ１：50円及び販売単価γ２：45円を割当て、商品コードＣ２：0002（商品名：GB）に販売単価γ１：「−」及び販売単価γ２：48円を割当る。図１０において、販売単価γ１：「−」は、販売形態α１で商品を販売しない。
販売単価γ１，γ２は、販売形態α１の販売単価γ１＞販売単価α２の販売単価γ２に設定し、販売形態α２（例えば、箱販売の形態）の販売単価γ２を販売形態α１（例えば、バラ販売の形態）の販売単価γ１より低くする。
【００２２】
商品管理データベースＤＢは、各仕入強度テーブルＴＢ２〜ＴＢ４において、各商品の商品管理データｄ１のうち、価格帯群φ、各価格掛け率θ１，θ２、及びポイント掛け率θ３を記憶する（図１１乃至図１３参照）。
仕入強度テーブルＴＢ２には仕入強度δ１を割当て（図１１参照）、仕入強度テーブルＴＢ３には仕入強度δ３を割当て（図１２参照）、及び仕入強度テーブルＴＢ４には仕入強度δ３を割り当る（図１３参照）。
【００２３】
各仕入強度テーブルＴＢ２〜ＴＢ４には、各販売形態α１，α２を複数種の会員ランクＡ，Ｂ，Ｃ毎に割当て、更にポイントα３を会員ランクＡ〜Ｃ毎に割当る（図１１乃至図１３参照）。なお、会員ランクＡは最上位ランク、会員ランクＢは中位ランク及び会員ランクＣは最下位ランクである。
【００２４】
価格帯群φは、各仕入強度δ１〜δ３（各仕入強度テーブルＴＢ２〜ＴＢ４）に割当られる。
価格帯群φは、各会員ランクＡ〜Ｃの各販売形態α１，α２、及びポイントα３毎に対応付けられる（図１１乃至図１３参照）。
各仕入強度テーブルＴＢ２〜ＴＢ４において、価格帯群φは、各会員ランクＡ〜Ｃの各販売形態α１，α２及びポイントα３毎に区分される。
各仕入強度テーブルＴＢ２〜ＴＢ４において、価格帯群φ（各価格帯φ１〜φ８）は、例えば、価格帯φ１：1〜300円、価格帯φ２：301〜500円、価格帯φ３：501〜1,000円、価格帯φ４：1,001〜2.000円、価格帯φ５：2,001〜3,001円、価格帯φ６：3,001〜5,000円、価格帯φ７：5,001〜7,000円、及び価格帯φ８：7,001円〜（7,001円以上）でなる。
【００２５】
価格掛け率θ１は、各仕入強度テーブルＴＢ２〜ＴＢ４において、会員ランクＡ〜Ｃ毎の販売形態α１の各価格帯φ１〜φ８に割当る（図１１乃至図１３参照）。
仕入強度テーブルＴＢ２（仕入強度δ１）において、例えば、会員ランクＡの価格掛け率θ１は、各価格帯φ１〜φ３：0.60、各価格帯φ４〜φ６：0.59、及び各価格帯φ７，φ８：0.58を割当る。
【００２６】
価格掛け率θ２は、各仕入強度テーブルＴＢ２〜ＴＢ４において、会員ランクＡ〜Ｃ毎の販売形態α２の各価格帯φ１〜φ８に割当る（図１１乃至図１３参照）。
仕入強度テーブルＴＢ２（仕入強度δ１）において、例えば、会員ランクＢの価格掛け率θ２は、各価格帯φ１〜φ８：0.61を割当る。
【００２７】
ポイント掛け率θ３は、各仕入強度テーブルＴＢ２〜ＴＢ４において、会員ランクＡ〜Ｃ毎のポイントα３の各価格帯φ１〜φ８に割当る（図１１乃至図１３参照）。
仕入強度テーブルＴＢ２（仕入強度δ１）において、例えば、会員ランクＣのポイント掛け率θ３は、価格帯φ１：0.23、価格帯φ２：0.22、価格帯φ３：0.21、価格帯φ４：0.19、価格帯φ５：0.18、価格帯φ６：0.17、価格帯φ７：0.15、及び価格帯φ８：0.12を割当る。
【００２８】
価格掛け率θ１は、各仕入強度δ１〜δ３の同一価格帯に属する販売形態α１で相違する。また、価格掛け率θ１は、各仕入強度δ１〜δ３の同一価格帯に属する会員ランクＡ〜Ｃ毎の販売形態α１で相違する（図１１乃至図１３参照）。
例えば、各仕入強度テーブルＴＢ２〜ＴＢ４の会員ランクＡの価格帯φ１において、仕入強度δ１は価格掛け率θ１：0.60、仕入強度δ２は価格掛け率θ１：0.58、及び仕入強度δ３は価格掛け率θ１：0.55で相違する。会員ランクＢの価格帯φ４において、仕入強度δ１は価格掛け率θ１：0.70、仕入強度δ２は価格掛け率θ１：0.61、及び仕入強度δ３は価格掛け率θ１：0.58で相違する。会員ランクＣの価格帯φ６において、仕入強度δ１は価格掛け率θ１：0.78、仕入強度δ２は価格掛け率θ１：0.63、及び仕入強度δ３は価格掛け率θ１：0.57で相違する。
価格掛け率θ１は、仕入強度δ１＞仕入強度δ２＞仕入強度δ３の関係である。
【００２９】
価格掛け率θ２は、各仕入強度δ１〜δ３の同一価格帯に属する販売形態α２で相違する。また、価格掛け率θ２は、各仕入強度δ１〜δ３の同一価格帯に属する会員ランク毎の販売形態α２で相違する（図１１乃至図１３参照）。
例えば、各仕入強度テーブルＴＢ２〜ＴＢ４の会員ランクＡの価格帯φ２において、仕入強度δ１は価格掛け率θ２：0.55、仕入強度δ２は価格掛け率θ２：0.53、及び仕入強度δ３は価格掛け率θ２：0.52で相違する。会員ランクＢの価格帯φ５において、仕入強度δ１は価格掛け率θ２：0.61、仕入強度δ２は価格掛け率θ２：0.55、及び仕入強度δ３は価格掛け率θ２：0.53で相違する。会員ランクＣの価格帯φ７において、仕入強度δ１は価格掛け率θ２：0.69、仕入強度δ２は価格掛け率θ２：0.56、及び仕入強度δ３は価格掛け率θ２：0.53で相違する。
価格掛け率θ２は、仕入強度δ１＞仕入強度δ２＞仕入強度δ３の関係である。
【００３０】
価格掛け率θ１は、一の仕入強度δ１（又はδ２，δ３）の同一価格帯に属する会員ランクＡ〜Ｃ毎の販売形態α１で相違する（図１１乃至図１３参照）。
例えば、仕入強度テーブルＴＢ２の価格帯φ２において、会員ランクＡは価格掛け率θ１：0.60、会員ランクＢは価格掛け率θ１：0.71、及び会員ランクは価格掛け率θ１：0.82で相違する。
一の仕入強度δ１（又はδ２、δ３）の価格掛け率θ１は、会員ランクＡ＜会員ランクＢ＜会員ランクＣの関係である。
【００３１】
価格掛け率θ２は、一の仕入強度δ１（又はδ２，δ３）の同一価格帯に属する会員ランクＡ〜Ｃ毎の販売形態α２で相違する（図１１乃至図１３参照）。
例えば、仕入強度テーブルＴＢ２の価格帯φ６において、会員ランクＡは価格掛け率θ２：0.55、会員ランクＢは価格掛け率θ２：0.61、及び会員ランクＣ２は価格掛け率θ２：0.69で相違する。
一の仕入強度δ１（又はδ２、δ３）の価格掛け率θ２は、会員ランクＡ＜会員ランクＢ＜会員ランクＣの関係である。
【００３２】
各価格掛け率θ１，θ２は、一の仕入強度δ１（又はδ２，δ３）の同一価格帯に属する一の会員ランクＡ（又はＢ，Ｃ）の各販売形態α１，α２で相違する（図１１乃至図１３参照）。
例えば、仕入強度テーブルＴＢ２の価格帯φ８において、会員ランクＡは価格掛け率θ１：0.58、価格掛け率θ２：0.55で相違する。仕入強度テーブルＴＢ２の価格帯φ８において、会員ランクＢは価格掛け率θ１：0.66、価格掛け率θ２：0.61で相違する。仕入強度テーブルＴＢ２の価格帯φ８において、会員ランクＣは価格掛け率θ１：0.76、価格掛け率θ２：0.69で相違する。
一の仕入強度δ１（又はδ２、δ３）の各販売形態α１，α２は、価格掛け率θ１＞価格掛け率θ２の関係である。
【００３３】
各仕入強度テーブルＴＢ２（又はＴＢ３，ＴＢ４）において、販売形態α１の価格掛け率θ１は、各価格帯φ１〜φ８で同一又は相違する。販売形態α１の価格掛け率θ１は、高価格帯になるにしたがって低い価格掛け率θ１にする。
例えば、仕入強度テーブルＴＢ２において、会員ランクＡの販売形態α１の価格掛け率θ１は、価格帯φ１〜φ３：0.60、価格帯φ４〜φ６：0.59、価格帯φ７，φ８：0.58である。
【００３４】
各仕入強度テーブルＴＢ２（又はＴＢ３，ＴＢ４）において、販売形態α２の価格掛け率θ２は、各価格帯φ１〜φ８で同一又は相違する。
例えば、仕入強度テーブルＴＢ２において、会員ランクＡの販売形態α２の価格掛け率θ２は、各価格帯φ１〜φ８：0.55である。仕入強度テーブルＴＢ２において、会員ランクＡの販売形態α２の価格掛け率θ２は、各価格帯φ１〜φ４：0.53、各価格帯φ５〜φ８：0.52である。
なお、仕入強度テーブルＴＢ３，ＴＢ４では、販売形態α２の価格掛け率θ２は、高価格帯になるにしたがって低い価格掛け率θ２にしている。
【００３５】
図１及び図２において、商品管理端末１は、卸売業者に使用され、例えば商品管理等の事務処理に適したオフィスコンピュータでなる。
商品管理端末１は、販売管理サーバ２にネットワークＷＡＮ又はＬＡＮ（Local  Area  Network）を通して接続される。
商品管理端末１は、商品管理データベースＤＢにＬＡＮを通して接続される。
商品管理端末１は、図１及び図２に示すように、入力手段１１、表示手段１２、商品管理記憶手段１３及び商品管理制御手段１４を備える。
【００３６】
商品管理制御手段１４は、図２に示すように、入力手段１１、表示手段１２及び商品管理記憶手段１３に接続される。
商品管理制御手段１４は、例えばＣＰＵ（Central  Processing  Unit：中央演算装置）で構成され、制御プログラムを実行する。
商品管理制御手段１４は、商品管理データｄ１のうち、各商品コードＣ１、各商品グループコードＣ２、商品コードＣ１毎の各販売形態α１，α２の販売単位β１，β２、商品コードＣ１毎の各販売形態α１，α２の販売単価γ１，γ２、各商品コードＣ１の仕入強度δ１〜δ３において、会員ランクＡ〜Ｂ毎の各販売形態α１，α２の販売単価γ１，γ２が属する価格帯φ１〜φ８の価格掛け率θ１，θ２及びポイント掛け率θ３を含む、各商品の販売管理データｄ２を販売管理サーバ２に送信（アップロード）する。
商品管理制御手段１４は、例えば、商品名：GAについて、商品コードＣ１：0001、商品グループコードＣ２：000A、販売単位β１：3個、販売単位β２：36個、販売単価γ１：50円、販売単価γ２：45円、会員ランクＡ〜Ｃ毎の価格掛け率θ１：0.60,0.71,0.82（仕入強度δ１）、会員ランクＡ〜Ｃ毎の価格掛け率θ２：0.55,0.61,0.69（仕入強度δ１）、及び会員ランクＡ〜Ｃ毎のポイント掛け率θ３：0.15,0.19,0.23（仕入強度δ１）を含む、販売管理データｄ２を送信（アップロード）する。
【００３７】
図１及び図３において、販売管理サーバ２は、商品購入者端末３にネットワークＷＡＮを通して接続される。
販売管理サーバ２は、図３に示すように、販売管理記憶手段２１、画像記憶手段２２、及び販売管理制御手段２３を備える。
【００３８】
販売管理記憶手段２１は、会員管理テーブルＴＢ１１（図１４参照）、会員・購入達成金額テーブルＴＢ１２（図１５参照）、複数種の販売管理テーブルＴＢ１３，ＴＢ１４（図１６及び図１７参照）を記憶する。
【００３９】
販売管理記憶手段２１は、会員管理テーブルＴＢ１１において、会員管理データｄ３を記憶する（図１４参照）。
会員管理データｄ３は、会員登録した商品購入者（以下、「会員・商品購入者」という）に関する情報であって、ユーザ名（メールアドレス）ＭＡ、パスワードＰＷ、会員ランクＡ〜Ｃ、購入累積金額ＢＭ、累積ポイントＰＴ、商品購入有効期間Ｍ、氏名又は名称ＮＡ、住所又は居所等ＡＤでなる。
会員管理テーブルＴＢ１１では、ユーザ名（メールアドレス）にパスワードＰＷ、会員ランクＡ〜Ｃ、購入累積金額ＢＭ、累積ポイントＰＴ、商品購入有効期間Ｍ、氏名又は名称ＮＡ及び住所又は居所等ＡＤを割当て、会員登録・商品購入者の会員管理データｄ３を記憶する。
会員管理テーブルＴＢ１１において、例えば、ユーザ名（メールアドレス）ＭＡ：AAA@gmail.comに、パスワードＰＷ：90125、会員ランクＣ、購入累積金額ＢＭ：0円、累積ポイントＰＴ：0、商品購入有効期間Ｍ：2013.01.01〜2013.06.30（６カ月間）、氏名又は名称ＮＡ：AA  BK、及び住所又は居所等ＡＤ：大阪府xxxを割当る。
【００４０】
販売管理記憶手段２１は、会員・購入達成金額テーブルＴＢ１２において、購入達成金額ＲＫを記憶する（図１５参照）。
会員・購入達成金額テーブルＴＢ１２では、会員ランクＡ〜Ｃ毎に購入達成金額ＲＫを割当る。
会員ランク金額テーブルＴＢ１２において、例えば、会員ランクＡに購入達成金額ＲＫ：100,000円〜（100,000円以上）を割当て、会員ランクＢに購入達成金額ＲＫ：99,999〜30,000円を割当て、及び会員ランクＣに購入達成金額ＲＫ：29,999〜0円を割当る。
【００４１】
販売管理記憶手段２１は、各販売管理テーブルＴＢ１３，ＴＢ１４において、各商品の販売管理データｄ２を記憶する（図１６及び図１７参照）。
販売管理テーブルＴＢ１３には販売形態α１を割当て（図１６参照）、販売管理テーブルＴＢ１４には販売形態α２を割当る（図１７参照）。
【００４２】
販売管理テーブルＴＢ１３では、各商品の販売管理データｄ３のうち、各商品コードＣ１、各商品グループコードＣ２、商品コードＣ１毎の販売形態α１の販売単価γ１、商品コードＣ１毎の販売形態α１の販売単位β１、各商品コードＣ１について会員ランクＡ〜Ｃ毎の販売形態α１の価格掛け率θ１、及び各商品コードＣ１について会員ランクＡ〜Ｃ毎のポイント掛け率θ３を記憶する（図１６参照）。
販売管理テーブルＴＢ１３では、各商品コードＣ１（各商品）に、商品グループコードＣ２、販売形態α１の販売単価γ１、販売形態α１の販売単位β１、会員ランクＡ〜Ｃ毎の販売形態α１の価格掛け率θ１、及び会員ランクＡ〜Ｃ毎のポイント掛け率θ３を割当る。
販売管理テーブルＴＢ１３において、商品コードＣ１：0001（商品名：GA）に、商品グループコードＣ２：000A、販売単価γ１：50円、販売単位β１：3個、会員ランクＡの価格掛け率θ１：0.60、会員ランクＢの価格掛け率θ１：0.71、会員ランクＣの価格掛け率θ１：0.82、会員ランクＡのポイント掛け率θ３：0.15、会員ランクＢのポイント掛け率θ３：0.19及び会員ランクＣのポイント掛け率θ３：0.23を割当る。商品コードＣ１：0002（商品名：GB）に、商品グループコードＣ２：000A、販売単価γ１：「−」、販売単位β１：「−」、会員ランクＡ〜Ｃ毎の価格掛け率θ１：「−」、及び会員ランクＡ〜Ｃ毎のポイント掛け率θ３：「−」を割当る。
図１６において、販売単価γ１：「−」、販売単位β１：「−」、価格掛け率θ１「−」及びポイント掛け率θ３：「−」は、販売形態α１で商品を販売しない。
【００４３】
販売管理テーブルＴＢ１４では、各商品の販売管理データｄ３のうち、各商品コードＣ１、各商品グループコードＣ２、商品コードＣ１毎の販売形態α２の販売単価γ２、商品コードＣ２毎の販売形態α２の販売単位β２、各商品コードＣ２について会員ランクＡ〜Ｃ毎の販売形態α２の価格掛け率θ２、及び各商品コードＣ１について会員ランクＡ〜Ｃ毎の販売形態α２のポイント掛け率θ３を記憶する（図１７参照）。
販売管理テーブルＴＢ１４では、各商品コードＣ１（各商品）に、商品グループコードＣ２、販売形態α２の販売単価γ２、販売形態α２の販売単位β２、会員ランクＡ〜Ｃ毎の販売形態α２の価格掛け率θ２、及び会員ランクＡ〜Ｃ毎の販売形態α２のポイント掛け率θ３を割当る。
販売管理テーブルＴＢ１４において、例えば、商品コードＣ１：0004（商品名：GD）に、商品グループコードＣ２：000C、販売単価γ２：1,480円、販売単位β２：36個、会員ランクＡの価格掛け率θ１：0.55、会員ランクＢの価格掛け率θ１：0.61、会員ランクＣの価格掛け率θ１：0.69、会員ランクＡのポイント掛け率θ３：0.11、会員ランクＢのポイント掛け率θ３：0.17及び会員ランクＣのポイント掛け率θ３：0.19を割当る。
【００４４】
画像記憶手段２２は、ホームページＨＧ（図５参照）、会員登録用入力フォームＴＦ（図６参照）、商品照会ページＳＧ１，ＳＧ２（図７及び図８参照）、及び商品決算ページＫＧ（図９参照）等を構築（合成）するための、文字、記号、図形及び各商品写真画像を含む画像データを記憶する。
【００４５】
販売管理制御手段２３は、図３に示すように、販売管理記憶手段２１及び画像記憶手段２２に接続される。
販売管理制御手段２３は、例えばＣＰＵ（Central  Processing  Unit：中央演算処理装置）で構成され、制御プログラムを実行する。
販売管理制御手段２３は、商品管理端末１から各商品の販売管理データｄ２を受信して、販売管理データｄ２を販売管理記憶手段２１（各販売管理テーブルＴＢ１３，ＴＢ４）に記憶する。
【００４６】
図１及び図４において、商品購入者端末３は、消費者又は小売業者等の商品購入者に使用される。
商品購入者端末３は、販売管理サーバ２にネットワークＷＡＮを通して接続される。
商品購入者端末３は、図４に示すように、入力手段３1、表示手段３２及び商品購入者制御手段３３を備える。商品購入者端末３としては、パーソナルコンピュータ、携帯情報端末（Personal  Digital  Assistant）等である。携帯情報端末（ＰＤＡ）には、スマートフォン、タブレット端末を含む。
【００４７】
商品購入者制御手段３３は、入力手段３１及び表示手段３２に接続される。
商品購入者制御手段３３は、例えばＣＰＵ（Central  Processing  Unit）で構成され、制御プログラムを実行する。
【００４８】
次に、卸売業・販売単価設定システムＸが実行する各種処理について、図１乃至図２６を参照して説明する。
【００４９】
図１８おいて、卸売業・販売単価設定システムＸは、商品管理データ／販売管理データ登録処理（ＳＴ１００）、会員登録処理（ＳＴ２００）、商品販売処理（ＳＴ３００）、購入累積金額等更新処理（ＳＴ４００）及び会員ランク更新処理（ＳＴ５００）を実行する。
【００５０】
＜商品管理データ／販売管理データ登録処理（ＳＴ１００）＞
以下、商品管理データ／販売管理データ登録処理（ＳＴ１００）について、図１９等を参照して説明する。
商品管理データ／販売管理データ登録処理（ＳＴ１００）において、卸売業者は、各商品の商品管理データｄ１を商品管理データベースＤＢに登録する。
卸売業者は、各商品の販売管理データｄ２を販売管理サーバ２に登録する。
【００５１】
商品管理端末１において、商品管理制御手段１４は、卸売業者の操作に基づき、商品管理データベースＤＢから各商品の商品管理データｄ１（商品管理テーブルＴＢ１、各仕入強度テーブルＴＢ２〜ＴＢ４）を読出し、表示手段１２に表示する。
【００５２】
卸売業者は、入力手段１１を操作して、各商品の商品管理データｄ１を商品管理テーブルＴＢ１、各仕入強度テーブルＴＢ２〜ＴＢ４に入力する。
これにより、卸売業者は、各商品について、商品コードＣ１、商品グループコードＣ２、各販売単位β１，β２、各販売単価γ１，γ２、各価格掛け率θ１，θ２、及びポント掛け率θ３を変更して、商品管理データベースＤＢに更新できる。
また、卸売業者は、新たな商品について、商品管理データｄ１を商品管理データベースＤＢに登録できる。
【００５３】
続いて、商品管理端末１４は、卸売業者の操作に基づき、各商品の商品管理データｄ１（商品管理テーブルＴＢ１、各仕入強度テーブルＴＢ２〜ＴＢ４）を商品管理データベースＤＢに送信して、商品管理データベースＤＢに記憶する（図１９：ＳＴ１０１）。
【００５４】
なお、商品管理制御手段１４は、商品管理テーブルＴＢ１、各仕入強度テーブルＴＢ２〜ＴＢ４をＣＳＶ形式（Comma  Separated  Value  format）のファイル（商品管理ファイル、各仕入強度ファイル）に変換して、表示手段１２に表示できる。
卸売業者は、入力手段１１を操作して、各商品の商品管理データｄ１をＣＳＶ形式のファイルに入力する。
【００５５】
商品管理端末１において、卸売業者は、ＷｅｂブラウザにＵＲＬ（Uniform  Resource  Locator：販売管理サーバ２のＵＲＬ）を入力し、販売管理サーバ２にアクセスする。
商品管理制御手段１４は、卸売業者の操作に基づき、各商品の販売管理データｄ２（各販売管理テーブルＴＢ１３，ＴＢ１４）を、例えばＣＳＶ形成のファイルで販売管理サーバ２にアップロード（送信）する（図１９：ＳＴ１０２）。
販売管理サーバ２において、販売管理制御手段２３は、アップロードされた各商品の販売管理データｄ２（販売管理テーブルＴＢ１３，ＴＢ１４）を販売管理記憶手段２１に更新（記憶）する（図１９：ＳＴ１０３）。
【００５６】
＜会員登録処理（ＳＴ２００）＞
以下、会員登録処理（ＳＴ２００）について、図２０及び図２１等を参照して説明する。
会員登録処理（ＳＴ２００）において、未登録の商品購入者（以下、「非会員・商品購入者」という）は、商品購入者端末３を使用して、販売管理サーバ２に会員登録する。
【００５７】
商品購入者端末３において、商品購入者制御手段３３は、非会員・商品購入者の操作に基づき、販売管理サーバ２にアクセスして、ホームページＨＧ（図５参照）を表示手段３２に表示する（図２０：ＳＴ２０１）。
【００５８】
商品購入者制御手段３３は、非会員・商品購入者の操作に基づき、ホームページＨＧの「会員登録」ＴＲが選択されると、販売管理サーバ２から会員登録用入力フォームＴＦ（図６参照）をダウンロード（受信）する。
商品購入者制御手段３３は、会員登録用入力フォームＴＦを表示手段３２に表示する（図２０：ＳＴ２０２）。
非会員・商品購入者は、入力手段３１を操作して、ユーザ名（メールアドレス）ＭＡ、パスワードＰＷ、氏名／小売店名ＮＡ、住所／居所ＡＤ、及び電話番号等を含む、商品購入者データｄ４を入力し、「登録要求」ＴＱを選択する（図６参照）。
商品購入者制御手段３３は、登録要求及び商品購入者データｄ４を販売管理サーバ２に送信する（図２０：ＳＴ２０３）。
【００５９】
販売管理サーバ２において、販売管理制御手段２３は、登録要求及び商品購入者データｄ４を受信すると（図２１：ＳＴ２０４）、会員管理データｄ３を販売管理記憶手段２２に記憶して登録する（図２１：ＳＴ２０５）。
販売管理記憶手段２２は、会員管理テーブルＴＢ１１において、商品購入者データｄ４、ユーザ名（メールアドレス）ＭＡに会員ランク、購入累積金額ＢＭ、累積ポイントＰＴ及び商品購入有効期間Ｍを割当て記憶する（図１４参照）。
販売管理制御手段２３は、登録要求した非会員・商品購入者について、複数種から１の会員ランクＣ（最下位ランク）、購入累積金額ＢＭ：０、累積ポイントＰＴ：０、及び商品購入有効期間：６カ月期間を割当て販売管理記憶手段２２に登録する。
例えば、販売管理制御手段２３は、登録年月日：2013.01.01であると、商品購入有効期間Ｍ：2013.01.01〜2013.06.30（６カ月期間）を会員管理テーブルＴＢ１１に登録する。
【００６０】
このように、卸売業・販売単価設定システムＸは、商品購入者端末３及びネットワークＷＡＮを通して、非会員・商品購入者の商品購入者データｄ３を販売管理サーバ２（販売管理記憶手段２２）に登録する。
また、販売管サーバ２は、会員管理テーブルＴＢ１１のデータを商品管理端末１に送信し、商品管理端末１は商品管理記憶手段１３に記憶する。
【００６１】
＜商品販売処理（ＳＴ３００）＞
以下、商品販売処理（ＳＴ３００）について、図２２及び図２３等を参照して説明する。
商品販売処理（ＳＴ３００）において、会員・商品購入者、又は非会員・商品購入者は、商品購入者端末３を使用して、卸売業者から商品を購入し、卸売業者は販売管理サーバ２を通して商品を各商品購入者にネット販売する。
【００６２】
会員・商品購入者は、商品購入者端末３を使用し、ホームページＨＧから会員登録データｄ５を入力する（図５参照）。会員登録データｄ５は、ユーザ名（メールアドレス）ＭＡ、及びパスワードＰＷでなる。
会員・商品購入者は、例えば、ユーザ名（メールアドレス）ＭＡ：AAA@gmail.com、及びパスワードＰＷ：90125を入力する。
会員・商品購入者は、会員登録データｄ５を入力すると、ホームページＨＧのログインＲＩを選択する。
商品購入者制御手段３３は、会員登録データｄ５を販売管理サーバ２に送信する（図２２：ＳＴ３０１、Ｙ）。
【００６３】
続いて、会員・商品購入者は、入力手段３１を操作して、ホームページＨＧの複数種の商品（商品名：GA〜GP）から１の商品を指定する（図５参照）。
会員・商品購入者は、例えば、複数種の商品（商品名：GA〜GP）から商品名：GAの商品を指定する（図５参照）。
商品購入者制御手段３３は、指定商品の商品コードＣ１及び商品グループコードＣ２を販売管理サーバ２に送信する（図２２：ＳＴ３０２）。
商品購入者制御手段３３は、例えば、商品名：GAの商品を指定すると、商品コードＣ１：0001、及び商品グループコードＣ２：000Aを販売管理サーバ２に送信する。
【００６４】
販売管理サーバ２において、販売管理制御手段２３は、会員登録データｄ５及び指定商品の商品コードＣ１等を受信すると（図２３：ＳＴ３０７、Ｙ，ＳＴ３０８）、会員情報データｄ５に基づき、会員ランクを販売管理記憶手段２１（会員管理テーブルＴＢ１１）から読出す（図２３：ＳＴ３０９）。
販売管理制御手段２３は、例えば、ユーザ名（メールアドレス）ＭＡ：AAA@gmail.com、及びパスワードＰＷ：90125を受信すると、会員管理テーブルＴＢ１１から会員ランクＣを読出す（図１４参照）。
【００６５】
続いて、販売管理制御手段２３は、会員ランク及び指定商品の商品コードＣ１に基づき、指定商品について、販売単価γ１，γ２、販売単位β１，β２、会員ランクの価格掛け率θ１，θ２、及び会員ランクのポイント掛け率θ３を販売管理記憶手段２１（各販売管理テーブルＴＢ１３，ＴＢ１４）から読出す（図２３：ＳＴ３１０）。
販売管理制御手段２３は、例えば、商品名：GAの指定商品について、商品コードＣ１：0001、及び会員ランクＣに基づき、販売管理テーブルＴＢ１３から販売単価γ１：50円、販売単位β１：3個、価格掛け率θ１：0.82、及びポイント掛け率θ３：0.23を読出し、販売管理テーブルＴＢ１４から販売単価γ２：45円、販売単位γ２：36個、価格掛け率θ２：0.69、及びポイント掛け率θ３：0.23を読出す。
【００６６】
販売管理制御手段２３は、指定商品の販売形態α１について、販売単価γ１及び会員ランクの価格掛け率θ１を積算して、割引販売単価Ｓγ１を設定する。
販売管理制御手段２３は、例えば、商品コードＣ１：0001の指定商品及び会員ランクＣについて、販売価格γ１：50円及び価格掛け率θ１：0.82を積算して、販売形態α１の割引販売単価Ｓγ１：41円（小数点以下切捨）を設定する。
【００６７】
販売管理制御手段２３は、指定商品の販売形態α２について、販売単価γ２及び会員ランクの価格掛け率θ２を積算して、販売形態α２の割引販売単価Ｓγ２を設定する。
販売管理制御手段２３は、例えば、商品コードＣ１：0001の指定商品及び会員ランクＣについて、販売単価γ２：45円及び価格掛け率θ２：0.69を積算して、販売形態α２の割引販売単価Ｓγ２：31円（小数点以下切捨）を設定する。
【００６８】
販売管理制御手段２３は、指定商品の販売形態α１について、割引販売単価Ｓγ１、販売単位β１及び会員ランクのポイント掛け率θ３を積算して、ポイント数τ１を設定する。
販売管理制御手段２３は、例えば、商品コードＣ１：0001の指定商品及び会員ランクＣについて、割引販売単価Ｓγ１：41円、販売単位β１：3個、及びポイント掛け率θ３：0.23を積算して、販売形態α１のポイント数τ１：29（小数点以下切捨）を設定する。
【００６９】
販売管理制御手段２３は、指定商品の販売形態α２について、割引販売単価Ｓγ２、販売単位β２及び会員ランクのポイント掛け率θ３を積算して、ポイント数τ２を設定する。
販売管理制御手段２３は、例えば、商品コードＣ１：0001の指定商品及び会員ランクＣについて、割引販売単価Ｓγ２：31円、販売単位β２：36個、及びポイント掛け率θ３：0.23を積算して、販売形態α２のポイント数τ２：256（小数点以下切捨）を設定する。
【００７０】
販売管理制御手段２３は、指定商品の商品グループコードＣ２、及び会員ランクに基づき、関連商品について、販売単価γ２、販売単位β２、会員ランクの価格掛け率θ２、及び会員ランクのポイント掛け率θ３を販売管理記憶手段２１（販売管理テーブルＴＢ１４）から読出す。
販売管理制御手段２５は、例えば、商品コードＣ１：0001の指定商品の商品グループコードＣ２：000A及び会員ランクＣに基づき、商品コードＣ１：0002の関連商品（商品グループコード：000A）について、販売管理テーブルＴＢ１４から販売単価γ２：48円、販売単位β２：36個、価格掛け率θ２：0.69、及びポイント掛け率θ３：0.23を読出す。
【００７１】
続いて、販売管理制御手段２３は、関連商品の販売形態α２について、販売単価γ２及び会員ランクの価格掛け率θ２を積算して、割引販売単価Ｓγ２を設定する。
販売管理制御手段２３は、例えば、商品コードＣ１：0002の関連商品（商品名：GB）及び会員ランクＣについて、販売単価γ２：48円、及び価格掛け率θ２：0.69を積算して、販売形態α２の割引販売単価Ｓγ２：33円（小数点以下切捨）を設定する。
【００７２】
販売管理制御手段２３は、関連商品について、割引販売単価Ｓγ２、販売単位β２、及び会員ランクのポイント掛け率θ３を積算して、販売形態α２のポイント数τ２を設定する。
販売管理制御手段２３は、例えば、商品コードＣ１：0002の関連商品（商品名：GB）及び会員ランクＣについて、割引販売単価Ｓγ２：33円、販売単位β２：36個、及びポイント掛け率θ３：0.23を積算して、販売形態α２のポント数τ２：273（小数点以下切捨）を設定する。
なお、販売管理制御手段２３は、商品名：GA、GB、GE、GF、GI、GJ以外の商品（関連商品のない商品）、例えば商品名：GCの指定商品の商品コードＣ１：0003を受信すると、関連商品の割引販売単価Ｓγ２、及びポイント数τ２を設定することなく、指定商品及び会員ランクＣについて、割引販売単価Ｓγ１：360円×0.82＝295円（小数点以下切捨）、割引販売単価Ｓγ２：350円×0.69＝241円（小数点以下切捨）、ポイント数τ１：295円×1個×0.22＝64円（小数点以下切捨）、及びポイント数τ２：241円×12個×0.22＝636（小数点以下切捨）を設定する。
【００７３】
販売管理制御手段２３は、指定商品について、指定商品画像欄ＣＧ１、非会員・指定商品照会欄ＣＧ２、会員・指定商品照会欄ＣＧ３、及び購入数量欄ＣＧ４，ＣＧ５でなる商品照会ページＳＧ１、ＳＧ２を構築する（図７及び図８参照）。
販売管理制御手段２３は、指定商品の商品コードＣ１に基づき、画像記憶手段２１から画像データを読出し、指定商品画像欄ＣＧ１を構築（合成）する。指定商品画像欄ＣＧ１は、指定商品の商品写真画像、指定商品の商品名、及び指定商品の商品コードＣ２でなる（図７及び図８参照）。
販売管理制御手段２３は、例えば、商品コードＣ１：0001の指定商品について、商品名：GAの商品写真画像、商品名：GA及び商品コードＣ１：0001を構築（合成）し、又は商品コードＣ１：0003の指定商品について、商品名：GCの商品写真画像、商品名：GC及び商品コードＣ１:0003を構築（合成）する（図８参照）。
【００７４】
販売管理制御手段２３は、指定商品の販売単価γ１、販売単位β１、及び販売単価γ２、販売単位β２に基づき、画像記憶手段２１から画像データを読出して、非会員・指定商品照会欄ＣＧ２を構築する。非会員・指定商品照会欄ＣＧ２は、販売形態α１の販売単価γ１、販売単位β１、及び販売形態α２の販売単価γ２、販売単位β２でなる（図７及び図８参照）。
販売管理制御手段２３は、例えば、商品コードＣ１：0001の指定商品について、販売単販売単価γ１：50円、販売単位β１：3個、及び販売単価γ２：45円、販売単位β２：36個を構築（合成）し（図７参照）、又は商品コードＣ１：0003の指定商品について、販売単価γ１：360円、販売単位β１：1個、及び販売単位γ２：350円、販売単位β２：12個を構築（合成）する（図８参照）。
【００７５】
販売管理制御手段２３は、指定商品及会員ランクについて、割引販売単価Ｓγ１、販売単位β１、ポイント数τ１及び割引販売単価Ｓγ２、販売単位β２、ポイント数τ２に基づき、画像記憶手段２１から画像データを読出して、会員・指定商品照会欄ＣＧ３を構築（合成）する。会員・指定商品照会欄ＣＧ３は、会員ランク、割引販売単価Ｓγ１、販売単位β１、ポイント数τ１、及び割引販売単価Ｓγ２、販売単位β２、ポイント数τ２でなる。
販売管理制御手段２３は、例えば商品コードＣ１：0001の指定商品及び会員ランクＣについて、割引販売単価Ｓγ１：41円、販売単位β１：3個、ポイント数τ１：29、及び割引販売単価Ｓγ２：31円、販売単位β２：36個、ポイント数：265を構築（合成）し（図７参照）、又は商品コードＣ１：0003の指定商品及び会員ランクＣについて、割引販売単価Ｓγ１：295円、販売単位β１：1個、ポイント数τ１：64、及び割引販売単価Ｓγ２：241円、販売単位β２：12個、ポイント数τ２：636を構築（合成）する（図８参照）。
【００７６】
販売管理制御手段２３は、関連商品について、関連商品画像欄ＫＧ１、非会員・関連商品照会欄ＫＧ２、会員・関連商品照会欄ＫＧ３、及び購入数量欄ＫＧ４を指定商品の商品照会ページＳＧ１に構築する（図７参照）。
販売管理制御手段２３は、関連商品の商品コードＣ１に基づき、画像記憶手段２１から画像データを読出し、関連商品画像欄ＫＧ１を構築（合成）する。関連商品画像欄ＫＧ１は、関連商品の商品写真画像、関連商品の商品名、及び関連商品の商品コードＣ１でなる（図７参照）。
販売管理制御手段２３は、例えば、商品コードＣ２：0001の指定商品の関連商品（商品名：GB）について、商品名：GBの商品写真画像、商品名：GB及び商品コードＣ１：0002を指定商品の商品照会欄ＳＧ１に構築（合成）する。
【００７７】
販売管理制御手段２３は、関連商品について、販売形態α２の販売単価γ２、販売単位β２に基づき、画像記憶手段２２から画像データを読出して、非会員・関連商品照会欄ＫＧ２を指定商品の商品照会ページＳＧ１に構築（合成）する（図７参照）。非会員・関連商品会員欄ＫＧ２は、関連商品について、販売単価γ２、及び販売単位β２でなる。
販売管理制御手段２３は、例えば、商品コードＣ１：0001の指定商品の関連商品（商品名：GB）について、販売単価γ２：48円、及び販売単位β２：36個を指定商品の商品照会ページＳＧ１に構築（合成）する。
【００７８】
販売管理制御手段２３は、会員ランク、関連商品の割引販売単価Ｓγ２、販売単位β２、及びポイント数τ２に基づき、画像記憶手段２１から画像データを読出して、会員・関連商品照会欄ＫＧ３を指定商品の商品照会ページＳＧ１に構築（合成）する（図７参照）。
販売管理制御手段２３は、例えば、商品コードＣ１：0001の指定商品の関連商品（商品名：GB）について、割引販売単価Ｓγ２：33円、販売単位β２：36個及びポイント数τ２：273を指定商品の商品照会ページＳＧ１に構築（合成）する。
なお、販売管理制御手段２３は、例えば、商品名：GA、GB、GE、GF、GI、GJ以外の商品（関連商品のない商品）、例えば、商品名：GCの指定商品の商品コードＣ１：0003を受信すると、関連商品画像欄ＫＧ１、非会員・関連商品照会欄ＫＧ２、会員・関連商品照会欄ＫＧ２及び購入数量欄ＫＧ４を構築することなく、商品照会ページＳＧ２を構築（合成）する（図８参照）。
【００７９】
続いて、販売管理制御手段２３は、指定商品の商品照会ページＳＧ１（又はＳＧ２）を商品購入者端末３に送信する（図２３：ＳＴ３１１）。
販売管理制御手段２３は、例えば、商品コードＣ１：0001の指定商品について、商品照会ページＳＧ１を商品購入者端末３に送信し、又は商品コードＣ１：0003の指定商品について、商品照会ページＳＧ２を商品購入者端末３に送信する。
【００８０】
商品購入者端末３において、商品購入者制御手段３３は、商品照会ページＳＧ１（又はＳＧ２）を受信すると、表示手段３２に表示する（図２２：ＳＴ３０３、図７及び図８参照）。
会員・商品購入者は、商品照会ページＳＧ１（又はＳＧ２）において、購入する商品及び販売形態α１，α２を選択して、１又は複数の購入数量欄ＣＧ４，ＣＧ５、ＫＧ４に購入数量ε１，ε２，ε３（個）を入力する。購入数量ε１〜ε３は、各販売形態α１，α２の販売単位β１，β２に任意の販売掛け数ｎ（ｎ＝１，２，３，…、ｎ：自然数）を積算した数量である。
会員・商品購入者は、例えば、商品照会ページＳＧ１において、指定商品の販売形態α１の購入数量欄ＣＧ４に購入数量ε１：6個（販売単位：3個及び販売掛け数n：2）、指定商品の販売形態α２の購入数量欄ＣＧ５に購入数量ε２：36個(販売単位β２：36個及び販売掛け率ｎ：1)を入力する。
会員・商品購入者は、商品照会ページＳＧ１（又はＳＧ２）の購入要求ＫＹを選択する。
【００８１】
続いて、商品購入者制御手段３３は、指定商品（又は関連商品）について、各販売形態α１，α２、及び各販売形態α１，α２の購入数量ε１〜ε３を販売管理サーバ２に送信する（図２２：ＳＴ３０４）。
商品購入者制御手段３３は、例えば、商品コードＣ１：0001の指定商品について、購入数量欄ＣＧ４に購入数量ε１：6個、及び購入数量ε２：36個でなる購入要求データｄ７の入力を受けると、各販売形態α１，α２、購入数量ε１：6個、及び購入数量ε２：36個を販売管理サーバ２に送信する。
【００８２】
販売管理サーバ２において、販売管理制御手段２３は、各販売形態α１，α２、各購入数量ε１、ε２を受信すると（図２３：ＳＴ３１２）、割引販売単価Ｓγ１，Ｓγ２及び購入数数量ε１，ε２を積算して、各販売形態α１，α２の購入金額ω１、ω２を設定する。関連商品も同様に、割引販売単価Ｓγ１及び購入数量ε３を積算して、販売形態α２の購入金額ω３を設定する。
販売管理制御手段２３は、例えば、商品コードＣ１：0001の指定商品について、割引販売単価Ｓγ１：41円及び購入数量ε１：6個を積算して、販売形態α１の購入金額ω１：246円を設定し、割引販売単価Ｓγ２：31円及び購入数量ε２：36個を積算して、販売形態α２の購入金額ω２：1,116円を設定する。
販売管理制御手段２３は、指定商品（又は関連商品）について、各購入金額ω１〜ω３を加算して、購入総金額ＴＬを設定する。
販売管理制御手段２３は、例えば、商品コードＣ１：0001の指定商品について、購入金額ε１：246円及び販購入金額ε２：1,116円を加算して、購入合計金額ＴＬ：1,362円を設定する。
【００８３】
販売管理制御手段２３は、購入数量ε１〜ε３を販売単位β１，β２で除算して、各販売形態α１，α２の販売掛け率ｎを算出する。
販売管理制御手段２３は、ポイント数τ１，τ２及び各販売形態α１，α２の販売掛け数ｎを積算して、各販売形態α１，α２のポイント総数Ｐ１，Ｐ２を設定する。
販売管理制御手段２３は、例えば、商品コードＣ１：0001の指定商品について、販ポイント数τ１：29及び販売掛け数ｎ：1を積算して、ポント総数Ｐ１：58を設定し、ポイント数τ２：265及び販売掛け率ｎ：1を積算して、ポイント総数Ｐ２：265を設定する。
【００８４】
販売管理制御手段２３は、ポイント総数Ｐ１，Ｐ２を加算して、ポイント合計数ＰＬを設定する。
販売管理制御手段２３は、例えば、商品コードＣ１：0001の指定商品について、ポイント総数Ｐ１：58及びポイント総数Ｐ２：265を加算して、ポイント合計数ＰＬ：325を設定する。
【００８５】
続いて、販売管理制御手段２３は、指定商品（又は関連商品）について、各販売形態α１，α２、購入数量ε１，ε２、購入金額ω１，ω２、購入総金額ＴＬ及びポイント総数ＰＬに基づき、画像記憶手段２１から画像データを読出して、商品決算ページＫＧを構築（合成）する（図９参照）。商品決算ページＫＧは、販売形態α１，α２、購入数量ε１，ε２、購入金額ε１，ε２、購入総金額ＴＬ及びポイント総数ＰＬでなる。
販売管理制御手段２３は、例えは、商品コードＣ１：0001の指定商品について、購入数量ε１：6個、購入金額ω１：246円、購入数量ε２：36個、購入金額ω２：1,116円、購入合計金額ＴＬ：1,362円、及びポイント合計数ＰＬ：325でなる商品決算ページＫＧを構築（合成）する。
【００８６】
販売管理制御手段２３は、商品決算ページＫＧを商品購入者端末３に送信する（図２３：ＳＴ３１３）。
【００８７】
商品購入者端末３において、商品購入者制御手段３３は、商品決算ページＫＧを受信すると、表示手段３２に表示する（図２２：ＳＴ３０５、図９参照）。なお、購入数量ε１〜ε３でないときは、例えば、図９に示すように、購入記述ＰＲ（販売形態α２の購入数量ε２：９個ですが、３６個で購入しても宜しいですか）を表示する。
会員・商品購入者は、入力手段３１を操作して、商品決算パージＫＧの決算要求ＫＲを選択すると、商品購入者制御手段３３は、決算要求を販売管理サーバ２に送信する（図２２：ＳＴ３０６）。
【００８８】
販売管理サーバ２において、販売管理制御手段２３は、決算要求を受信すると（図２３：ＳＴ３１４）、発注決算データを商品管理端末１に送信する（図２３：ＳＴ３１５）。発注決算データは、指定商品（又は関連商品）について、購入数量ε１〜ε３、購入金額ω１〜ω２、及び購入総金額ＰＬでなる。
【００８９】
商品管理端末１において、商品管理制御手段１４は、発注決算データを受信し、商品管理記憶手段２１に記憶する。
【００９０】
次に、非会員・商品購入者は、商品購入者端末３を使用し、ホームページＨＧの複数種の商品（商品名：GA〜GP）から１の商品を指定する（図５参照）。
商品購入者制御手段３３は、指定商品の商品コードＣ１及び商品グループコードＣ２を販売管理サーバ２に送信する（図２２：ＳＴ３０１，Ｎ、ＳＴ３０２）。
【００９１】
販売管理サーバ２において、販売管理制御手段２３は、指定商品の商品コードＣ１等を受信すると（図２３：ＳＴ３０７，Ｎ、ＳＴ３１６）、指定商品の商品コードＣ１基づき、商品管理記憶手段２１（販売管理テーブルＴＢ１３、ＴＢ１４）から販売形態α１，α２の販売単位β１，β２、販売単価γ１，γ２を読出す（図２３：ＳＴ３１７）。
【００９２】
販売管理制御手段２３は、指定商品及び会員ランクＣについて、商品管理記憶手段２１（販売管理テーブルＴＢ１３、ＴＢ１４）から販売形態α１の価格掛け率θ１、及び販売形態α２の価格掛け率θ２を読出す（図２３：ＳＴ３１７）。
【００９３】
続いて、販売管理制御手段２３は、指定商品について、会員・商品購入者と同様、会員ランクＣの各販売形態α１，α２の割引販売単価Ｓγ１，Ｓγ２を設定する。
【００９４】
販売管理制御手段２３は、指定商品について、会員・商品購入者と同様、会員ランクＣの各販売形態α１，α２のポイント数τ１，τ２を設定する。
【００９５】
販売管理制御手段２３は、指定商品の関連商品について、会員・商品購入者と同様、会員ランクＣの販売形態α２の割引販売単価Ｓγ２、及びポイント数τ２を設定する。
【００９６】
続いて、販売管理制御手段２３は、会員・商品購入者と同様、指定商品及び会員ランクＣについて、指定商品画像欄ＣＧ１、非会員・指定商品照会欄ＣＧ２、会員・指定商品照会欄ＣＧ３、及び購入数量欄ＣＧ４、ＣＧ５でなる商品照会ページＳＧ１，ＳＧ２を構築する（図７及び図８参照）。販売管理制御手段２３は、会員ランクＣ（最下位ランク）について、会員・指定商品照会欄ＣＧ３を構築（合成）する。
販売管理制御手段２３は、会員・商品購入者と同様、関連商品及び会員ランクＣについて、関連商品画像欄ＫＧ１、非会員・関連商品照会欄ＫＧ２、会員・関連商品照会欄ＫＧ３、及び購入数量欄ＫＧ４を指定商品の商品照会ページＳＧ１に構築（合成）する。販売管理制御手段２３は、会員ランクＣ（最下位ランク）について、会員・関連商品照会欄ＫＧ３を構築（合成）する。
なお、販売管理制御手段２３は、例えば、商品名：GA、GB、GE、GF、GI、GJの商品以外の商品（関連商品のない商品）について、指定商品の商品コードＣ１を受信すると、会員・商品購入者と同様、関連商品画像欄ＫＧ１、非会員・関連商品照会欄ＫＧ２、会員・関連商品照会欄ＫＧ３及び購入数量欄ＫＧ４を指定商品の商品照会ページＳＧ２に構築（合成）しない。
【００９７】
販売管理制御手段２３は、商品照会ページＳＧ１（又はＳＧ２）を商品購入者端末３に送信する（図２３：ＳＴ３１１）。
【００９８】
商品購入者端末３において、商品購入者制御手段３３は、商品照会ページＳG１（又はＳＧ２）を受信すると、表示手段３２に表示する（図２２：ＳＴ３０２、図７及び図８参照）。
非会員・商品購入者は、商品照会ページＳＧ１（又はＳＧ２）において、購入する商品及び販売形態α１，α２を選択して、１又は複数の購入数量欄ＣＧ４、ＣＧ５、ＫＧ４に購入数量ε１〜ε３を入力する。
続いて、非会員・商品購入者は、商品照会ページＳＧ１（又はＳＧ２）の購入要求ＫＹを選択する。
商品購入者制御手段３３は、指定商品（又は関連商品）について、各販売形態α１，α２、及び購入数量ε１〜ε３を販売管理サーバ２に送信する（図２２：ＳＴ３０４）。
【００９９】
販売管理サーバ２において、販売管理制御手段２３は、指定商品（関連商品）について、販売単価γ１，γ２及び購入数量ε１〜ε３を積算して、各販売形態α１，α２の購入金額ω１，ω２を設定する。
販売管理制御手段２３は、指定商品（又は関連所品）について、購入金額ω１，ω２を加算して、購入総金額ＴＬを設定する。
【０１００】
続いて、販売管理制御手段２３は、指定商品（又は関連商品）について、購入数量ε１，ε２、購入金額ω１，ω２、及び購入総金額ＴＬに基づき、画像記憶手段２２から画像データを読出して、商品決算ページＫＧ２を構築（合成）する（図９参照）。
販売管理制御手段２３は、商品決算ページＫＧ２を商品購入者端末３に送信する（図２３：ＳＴ３１３）。
【０１０１】
商品購入者端末３において、商品購入者制御手段３３は、商品決算ページＫＧ２を受信すると、表示手段３２に表示する（図２２：ＳＴ３０５）。
非会員・商品購入者は、入力手段３１を操作して、商品決済ページＫＧ２の決算要求ＫＲを選択すると、商品購入者制御手段３３は、決算要求を販売管理サーバ２に送信する（図２２：ＳＴ３０５）。
【０１０２】
販売管理サーバ２において、販売管理制御手段２３は、決算要求を受信すると（図２３：ＳＴ３１４）、発注決算データを商品管理端末１に送信する（図２３：ＳＴ３１５）。
【０１０３】
商品管理端末１において、商品管理制御手段１４は、発注決算データを受信し、商品管理記憶手段２１に記憶する。
【０１０４】
＜購入累積金額等更新処理：ＳＴ４００＞
以下、購入累積金額等更新処理：ＳＴ４００について、図２４等を参照して説明する。
購入累計金額等更新処理：ＳＴ４００において、販売管理サーバ２は、会員・商品購入者の購入した商品の購入合計金額ＴＬを購入累積金額ＢＭに加算して更新する。
【０１０５】
卸売業者は、会員・商品購入者の商品発注を確認する。
商品管理制御手段１４は、卸売業者の操作に基づき、商品管理記憶手段２１から発注決算データを読出し、表示手段１２に表示する。
【０１０６】
商品管理制御手段１４は、卸売業者の操作に基づき、商品管理記憶手段２１から会員管理テーブルＴＢ１１を読出し、表示手段１２に表示する。商品管理制御手段１４は、各パスワードＰＷ：「＊」とし、各パスワードＰＷを表示しない（図１４参照）。
これにより、卸売業者は、指定商品を発送する会員・商品購入者に関するデータ（氏名／名称ＮＡ、住所／居所等ＡＤ）を確認できる。
卸売業者は、指定商品（又は関連商品）の購入合計金額ＴＬの支払いを確認し、発注決済データの商品を会員・商品購入者に発送する。
続いて、卸売業者は、入力手段１１を操作して、商品発送データｄ５を入力する。商品発送データｄ５は、商品発送した商品購入者のユーザ名（メールアドレス）、商品発送した指定商品（以下、「発送・指定商品」という）の購入合計金額ＴＬ及びポイント合計数ＰＬでなる
商品管理制御手段１４は、商品発送データｄ５及び更新要求を販売管理サーバ２に送信する。
【０１０７】
販売管理サーバ２において、販売管理制御手段２３は、商品発送データｄ５及び更新要求を受信すると（図２４：ＳＴ４０１）、ユーザ名（メールドレス）に基づき、販売管理記憶手段２１（会員管理テーブルＴＢ１１）から商品購入有効期間Ｍを読出し（図２４：ＳＴ４０２）、現時点の経過期間ＭＫ及び商品購入有効期間Ｍを比較する（図２４：ＳＴ４０３）。
現時点の経過期間ＭＫは、商品購入有効期間Ｍの初日から現時点（更新時）の期間である。例えは、商品購入有効期間Ｍ：2013.01.01〜2013.06.30（６カ月）、現時点（更新時）：2013.05.31であると、現時点の経過期間ＭＫは、商品購入有効期間Ｍの初日：2013.01.01から現時点：2013.05.31の５カ月となる。
【０１０８】
販売管理制御手段２３は、現時点の経過期間ＭＫ＜商品購入有効期間Ｍであると（図２４：ＳＴ４０３）、会員・商品購入者のユーザ名（メールアドレス）に基づき、販売管理記憶手段２１（会員管理テーブルＴＢ１１）の購入累積金額ＢＭに購入合計金額ＴＬを加算して（図３４：ＳＴ４０４）、購入累積金額ＢＭを更新する（図２４：ＳＴ４０５）。
販売管理制御集ｄな２３は、例えは、ユーザ名（メールアドレス）ＭＡ：AAA@gmail.comの会員・商品購入者について、購入合計金額ＴＬ：1,360円であると、購入累積金額ＢＭ：0円に購入合計金額ＴＬ：1,362円を加算して、購入累積金額ＴＬ：1,362円に更新する（図１４参照）。
【０１０９】
また、販売管理制御手段２３は、会員・商品購入者のユーザ名（メールアドレス）に基づき、販売管理記憶手段２１（会員管理テーブルＴＢ１１）の累積ポイントＰＴにポイント合計数ＰＬを加算して（図２４：ＳＴ４０４）、累積ポントＰＴを更新する（図２４：ＳＴ４０５）。
販売管理制御手段２３は、例え名、ユーザ名（メールアドレス）ＭＡ：AAA@gmail.comの会員・商品購入者について、ポイント総数ＰＬ：325であると、累積ポイントＰＴ：0にポイント総数ＰＬ：325を加算して、累積ポイントＰＴ：325に更新する（図１４参照）。
【０１１０】
販売管理制御手段２３は、現時点の経過期間ＫＭ≧商品購入有効期間Ｍであると（図２４：ＳＴ４０３）、会員・商品購入者のユーザ名（メールアドレス）に基づき、購入累積金額を「０円（零）」に更新する（図２４：ＳＴ４０６、ＳＴ４０５）。
販売管理制御手段２３は、会員・商品購入者のユーザ名（メールアドレス）に基づき、販売管理記憶手段２１（会員管理テーブルＴＢ１１）の累積ポイントＰＴにポイント合計数ＰＬを加算して（図２４：ＳＴ４０６）、累積ポントＰＴを更新する（図２４：ＳＴ４０５）。
商品購入者は、累積ポイントＰＴを使用して各商品を購入できる。ポイントは、例えば１ポイントを０．１円に換算される。
【０１１１】
＜会員ランク更新処理：ＳＴ５００＞
以下、会員ランク更新処理：ＳＴ５００について、図２５及び図２６等を参照して説明する。
会員ランク更新処理：ＳＴ５００において、販売管理サーバ２は、会員・商品購入者の会員ランクＡ〜Ｃを更新する。
【０１１２】
販売管理サーバ２において、販売管理制御手段２３は、各会員・商品購入者について、現時点の経過期間ＭＫ及び商品購入有効期間Ｍを比較する（図２５：ＳＴ５０１）。
販売管理制御手段２３は、現時点の経過期間ＭＫ＜商品購入有効期間Ｍであると（図２５：ＳＴ５０１）、販売管理記憶手段２１（会員管理テーブルＴＢ１１）から各会員・商品購入者の購入累積金額ＢＭ及び会員ランクを読出す。
販売管理制御手段２３は、例えば、ユーザ名（メールアドレス）ＭＡ：DDD@gmail.comについて、購入累積金額ＢＭ：10,000円及び会員ランクＣを読出し、ユーザ名（メールアドレス）ＭＡ：BBB@gmail.comについて、購入累積金額ＢＭ：5,000円、及び会員ランクＡを読出し、ユーザ名（メールアドレス）ＭＡ：CCC@gmail.comについて、購入累積金額ＢＭ：30,000円、及び会員ランクＢを読出す（図１４参照）。
【０１１３】
販売管理制御手段２３は、各会員・商品購入者の会員ランクに基づき、販売管理記憶手段２１（会員・購入者達成金額テーブルＴＢ１２）から購入達成金額ＲＫを読出す。
販売管理制御手段２３は、例えば、会員ランクＡについて、購入達成金額ＲＫ：100,000円を読出し、会員ランクＢについて、購入達成金額ＲＫ：99,999〜30,000円を読出し、会員ランクＣについて、購入達成金額ＲＫ：29,999〜0円を読出す（図１５参照）。
【０１１４】
続いて、販売管理制御手段２３は、購入累積金額ＢＭ及び購入達成金額ＲＫを比較する（図２５：ＳＴ５０２）。
販売管理制御手段２３は、購入累積金額ＢＭ≦購入達成金額ＲＫであると（図２５：ＳＴ５０２，≦）、会員ランクを更新しない。
【０１１５】
販売管理制御手段２３は、購入累積金額ＢＭ＞購入達成金額ＲＫであると（図２５：ＳＴ５０２，＞）、会員ランクに基づき、会員ランク及び購入累積金額ＢＭを更新する（図２５：ＳＴ５０３〜ＳＴ５０５）。
販売管理制御手段２３は、各会員・商品購入者について、現時点の会員ランクが最上位ランクでないと（図２５：ＳＴ５０３，Ｎ）、購入累積金額ＴＬに基づき、現時点の会員ランクを１又は複数段格上して更新する（図２５：ＳＴ５０４）。
販売管理制御手段２３は、例えば、会員ランクＣの会員・商品購入者について、購入累積金額ＴＬ：50,000円であると、会員Ｃの購入達成金額ＲＫ：29,999〜0円＜購入累積金額ＴＬ：50,000円＜会員ランクＡの購入達成金額ＲＫ：100,000〜（100,000円以上）であるので、現時点の会員ランＣ（最下位ランク）から会員ランクＢ（中位ランク）に１段階格上して更新する。
販売管理制御手段２３は、例えば、会員ランクＣの会員・商品購入者について、購入累積金額ＴＬ：110,000円であると、会員ランクＡの購入達成金額ＲＫ：100,000円＜購入累積金額ＴＬ：110,000円であるので、現時点の会員ランクＣ（最下位ランク）から会員ランクＡ（最上位ランク）に２段階格上して更新する。
販売管理制御手段２３は、各会員・商品購入者について、会員ランクを更新すると、商品購入有効期間Ｍを新たな期間（６カ月）に更新し、累積購入金額ＴＬ：「０（零）円」に更新する（図２５：ＳＴ５０４）。
【０１１６】
販売管理制御手段２３は、各会員・商品購入者について、現時点の会員ランクが最上位ランクであると（図２５：ＳＴ５０３，Ｙ）、会員ランクを更新しない（図２５：ＳＴ５０５）。また、販売管理制御手段２３は、商品購入有効期限Ｍを新たな期間（６カ月）に更新し、累積購入金額ＴＬ：「０（零）円」に更新する（図２５：ＳＴ５０５）。
【０１１７】
販売管理制御手段２３は、現時点の経過期間ＭＫ＝商品購入有効期間Ｍであると（図２５：ＳＴ５０２，＝）、購入累積金額ＴＬ及び購入達成金額ＲＫを比較する（図２６：ＳＴ５０６）。
【０１１８】
販売管理制御手段２３は、購入累積金額ＴＬ＝購入達成金額ＲＫであると（図２６：ＳＴ５０６，＝）、各会員・商品購入者の会員ランクを更新しない（図２６：ＳＴ５０７）。
また、販売管理制御手段２３は、商品購入有効期間Ｍを新たな期間（６カ月）に更新し、購入累積金額ＴＬ：「０（零）円」に更新する（図２６：ＳＴ５０７）。
【０１１９】
販売管理制御手段２３は、購入累積金額ＴＬ＜購入達成金額であると（図２６：ＳＴ５０６，＜）、会員ランクに基づき、会員ランク及び購入累積金額ＢＭを更新する（図２６：ＳＴ５０８〜ＳＴ５１０）。
販売管理制御手段２３は、現時点の会員ランクが最下位ランクであると（図２６：ＳＴ５０８，Ｙ）、会員ランクを更新しない。
また、販売管理制御手段２３は、商品購入有効期間Ｍを新たな期間（６カ月）に更新し、購入累積金額ＴＬ：「０（零）円」に更新する（図２６：ＳＴ５０９）。
【０１２０】
販売管理制御手段２３は、現時点の会員ランクが最下位ランクでないと（図２６：ＳＴ５０８，Ｎ）、現時点の会員ランクを１段階の下位ランクに格下げして更新する（図２６：ＳＴ５１０）。
また、販売管理制御手段２３は、商品購入有効期間Ｍを新たな期間（６カ月）に更新し、購入累積金額ＴＬ：「０（零）円」に更新する（図２６：ＳＴ５１０）。
【０１２１】
卸売業・販売単価設定システムＸにおいて、商品管理データベースＤＢは、商品管理端末１の商品管理記憶手段１３で兼用できる。
商品管理記憶手段１３は、商品管理テーブルＴＢ１、各仕入強度テーブルＴＢ２〜ＴＢ４を記憶し、各テーブルにおいて、各商品の商品管理データｄ１を記憶する。
卸売業・販売単価設定システムＸにおいて、商品毎に設定される販売形態は複数種に限定されず、１種の販売形態α１（例えば、バラ販売の形態）であっても良い。
【０１２２】
卸売業・販売単価設定システムＸは、図１及び図２に示すように、データ管理サーバ１０１を備える構成も採用できる。
データ管理サーバ１０１は、商品管理端末１にＬＡＮを通して接続される。データ管理サーバ１０１は、商品管理データベースＤＢ、及びデータ管理制御手段１０２を備える。
データ管理制御手段１０２は、例えばＣＰＵ（中央演算処理装置）で構成され、商品管理データベースＤＢに接続される。
【０１２３】
卸売業者は、商品管理端末１を使用して、ＷｅｂブラウザにＵＲＬを入力し、データ管理サーバ１０１にアクセスする。
続いて、卸売業者は、入力手段１１を操作して、データ管理サーバ１１のログインページにログインＩＤ及びパスワードを入力する。
データ管理サーバ１０１において、データ管理制御手段１０２は、各商品の商品管理データｄ１（商品管理テーブルＴＢ１、各仕入強度テーブルＴＢ２〜ＴＢ４）を商品管理端末１に送信する。
【０１２４】
商品管理端末１において、商品管理制御手段１４は、各商品の商品管理データｄ１（商品管理テーブルＴＢ１、各仕入強度テーブルＴＢ２〜ＴＢ４）をダウンロード（受信）して、表示手段１２に表示する。
なお、商品管理端末１４は、ＣＳＶ形式で商品管理テーブルＴＢ１、各仕入強度テーブルＴＢ２〜ＴＢ４を表示する。
卸売業者は、入力手段１１を操作して、各商品の商品管理データｄ１を入力する。
商品管理制御手段１１は、卸売業者の操作に基づき、各商品の商品管理データｄ１（商品管理テーブルＴＢ１、各仕入強度テーブルＴＢ２〜ＴＢ４）をデータ管理サーバ１０１にアップロード（送信）する。
【０１２５】
データ管理サーバ１０１において、データ管理制御手段１０２は、アップロードされた各商品の商品管理データｄ１（商品管理テーブルＴＢ１、各仕入強度テーブルＴＢ２〜ＴＢ４）を商品管理データベースＤＢに記憶する。
【０１２６】
これにより、卸売業者は、商品管理端末１を使用して、各商品の商品管理データｄ１をデータ管理サーバ１０１に登録（記憶）できる。
また、サーバ管理サーバ１０１のアクセスは、ログインＩＤ及びパスワードを要するので、特定の卸売業者しか各商品の商品管理データｄ１を登録又は更新できない。
【０１２７】
卸売業・販売価格設定システムＸでは、図２７乃至図２９に示すように、一の仕入強度テーブルＴＢ２（又はＴＢ３，ＴＢ４）において、各販売形態α１，α２の価格掛け率θ１，θ２を同一の価格掛け率にする構成も採用できる。
例えば、仕入強度テーブルＴＢ２（仕入強度δ１）において、会員ランクＡの各販売形態α１，α２の価格掛け率θ１，θ２：0.55、会員ランクＢの各販売形態α１，α２の価格掛け率θ１，θ２：0.61、会員ランクＣの各販売形態α１、α２の価格掛け率θ１，θ２：0.69とする。仕入強度テーブルＴＢ２では、会員ランクＡ〜Ｃ毎に、全ての価格帯φ１〜φ８で同一価格掛け率θ１，θ２としている。
また、仕入強度テーブルＴＢ３，ＴＢ４（仕入強度δ２，δ３）では、会員ランクＡ〜Ｃ毎に各販売形態α１，α２の価格掛け率θ１，θ１を同一価格掛け率とし、更に価格帯φ１〜φ８間において、各販売形態α１，α２の価格掛け率θ１，θ２を同一又は相違させている。例えば、仕入強度テーブルＴＢ３（仕入強度δ２）において、会員ランクＡの各価格帯φ１〜φ３は価格掛け率θ１，θ２：0.53、各価格帯φ５〜φ８は価格掛け率θ１，θ２：0.52とする。なお、仕入強度テーブルＴＢ３，ＴＢ３において、各販売形態α１，α２の価格掛け率θ１，θ２は高価格帯になるにしたがって低い価格掛け率θ２，θ１にしている。
各販売形態α１，α２の販売単価γ１，γ２は、図１０に示すように、販売単価γ１＞販売単価γ２の関係であり、販売形態α２は販売形態α２に比して利益率を低く設定している。例えば、商品コード（GA）：0001について、販売形態α１の販売単価γ１：50円、販売形態α２の販売単価γ２:45円である。
従って、販売形態α１，α２の価格掛け率θ１，θ２を同一価格掛け率にしても、販売形態α２の割引販売単価Ｓγ２を販売形態α１の割引販売単価Ｓγ１より安価に設定して、商品購入者に販売できる。また、各販売形態α１，α２の価格掛け率θ１，θ２を同一（共通）の価格掛け率にすると、記憶するデータ数を減少できる。
図２７乃至図２９に示す、各販売形態α１，α２の価格掛け率θ１，θ２は、商品管理データ／販売管理データ登録処理（ＳＴ１００）によって（図１９参照）、商品管理データベースＤＢに記憶され、販売管理記憶手段２１に記憶される。
【０１２８】
なお、図２７乃至図２９において、各仕入強度テーブルＴＢ２〜ＴＢ４では、図１１乃至図１３と同様、同一価格帯に属する価格掛け率θ１，θ２は相違している。例えば、価格帯φ５について、仕入強度δ１は価格掛け率θ１，θ２：0.55、仕入強度δ２は価格家掛け率θ１，θ２：0.52、仕入強度δ３は価格掛け率θ１，θ２：0.51である。
また、図２７乃至図２９において、一の仕入強度テーブルＴＢ２（又はＴＢ３，ＴＢ４）について、同一価格帯に属する各販売形態α１，α２の同一価格掛け率θ１，θ２は、会員ランクＡ〜Ｃ毎に相違している。例えば、一の仕入強度デーブルＴＢ２（図２７参照）の価格帯φ２について、会員ランクＡの価格掛け率θ１，θ２：0.55、会員ランクＢの価格掛け率θ１，θ２：0.61、会員ランクＣの価格掛け率θ１，θ２：0.69である。
【０１２９】
卸売業・販売価格設定システムＸ１では、予め割引販売単価Ｓγ１，Ｓγ２を商品管理端末１で設定して、各割引販売単価Ｓγ１，Ｓγ２（販売管理データｄ２）を販売管理サーバ２にアップロード（送信）することもできる。
以下、具体的に説明する。
【０１３０】
卸売業者は、商品管理データ／販売管理データ登録処理（ＳＴ１００）において、入力手段１１を操作して、各商品の商品管理データｄ１を商品管理テーブルＴＢ１，各仕入強度テーブルＴＢ２〜ＴＢ４に入力する。
商品管理端末１４は、各商品の商品管理データｄ１の入力に基づき、各商品の販売形態α１について、販売単価γ１及び各会員ランクＡ〜Ｃの価格掛け率θ１を積算して、割引販売単価Ｓγ１を設定する。
例えば、商品管理端末１４は、商品コードＣ１（商品名）：0001(GA)について、販売形態α１の販売単価γ１：50円及び会員ランクＡの価格掛け率θ１：0.60を積算して、割引販売単価Ｓγ１:30円を設定し、販売単価γ１：50円及び会員ランクＢの価格掛け率θ１：0.71を積算して、割引販売単位Ｓγ１：35円（小数点以下切捨）を設定し、更に販売単価γ１：50円及び会員ランクＣの価格掛け率θ１：0.82を積算して、割引販売単価Ｓγ１：41円を設定する。なお、商品コードＣ１（商品名）において、販売形態α１の販売単価γ１「−」であると、商品管理制御手段１４は割引販売単価Ｓγ１を設定しない。
【０１３１】
また、商品管理制御手段１４は、各商品の販売形態α２について、販売単位γ２及び各会員ランクＡ〜Ｃの価格掛け率θ１を積算して、割引販売単価Ｓγ２を設定する。
例えば、商品管理制御手段１４は、商品コードＣ１（商品名）：0005(GE)について、販売形態α１の販売単価γ２：2,060円及び会員ランクＡの価格掛け率θ１：0.52を積算して、割引販売単価Ｓγ２：1,030円を設定し、販売単価γ２：2,060円及び会員ランクＢの価格掛け率θ１：0.55を積算して、割引販売単価Ｓγ２：1,133円を設定し、更に販売単価γ２：2,060円及び会員ランクＣの価格掛け率θ１：0.58を積算して、割引販売単価Ｓγ２：1,194円（小数点以下切捨）を設定する。
【０１３２】
なお、商品管理制御手段１４は、商品管理データｄ１を商品管理データベースＤＢに記憶（更新）する際に、各商品について、各販売形態α１，α２の割引販売単価Ｓγ１，Ｓγ２を商品管理テーブルＴＢ１に記憶しても良い（図１９：ＳＴ１０１）。
【０１３３】
また、商品管理制御手段１４は、各商品について、各販売形態α１，α２の販売単価γ１，γ２及び仕入強度δ１〜δ３を、商品管理テーブルＴＢ１から読出し、更に各仕強度δ１〜δ３に基づき、各商品について、各会員ランクの価格掛け率θ１を各仕入強度テーブルＴＢ２〜ＴＢ４から読出す。続いて、商品管理制御手段１４は、各商品の販売形態α１，α２について、販売単価γ１，γ２及び各会員ランクＡ〜Ｃの価格掛け率θ１を積算して、各会員ランクＡ〜Ｃの割引販売単価Ｓγ１，Ｓγ２を設定することもできる。
【０１３４】
商品管理端末１において、商品管理制御手段１４は、各商品の販売管理データｄ２を販売管理サーバ２にアップロード（送信）する（図１９：ＳＴ１０２）。
ここでの販売管理データｄ２は、各商品の商品管理データｄ１のうち、各商品コードＣ１、各商品グループコードＣ２、商品コードＣ１毎の各販売形態α１，α２の販売単位β１，β２、商品コードＣ１毎の各販売形態α１，α２の販売単価γ１，γ２、及び各商品において、会員コードＡ〜Ｃ毎の各販売形態α１，α２の割引販売単価Ｓγ１，Ｓγ２である。
【０１３５】
販売管理サーバ２において、販売管理制御手段２３は、各販売管理テーブルＴＢ３，ＴＢ４において、各商品の販売管理データｄ２を更新（記憶）する（図１９：ＳＴ１０３）。
販売管理制御手段１４は、各販売管理データＴＢ１３，１４において、価格掛け率θ１に換えて、商品毎の各会員ランクＡ〜Ｃの割引販売単価Ｓγ１，Ｓγ２を記憶する（図１６及び図１７参照）。
【０１３６】
販売管理制御手段２３は、商品販売処理（ＳＴ３００）において、会員・商品購入者の操作に基づき、会員登録データｄ５及び指定商品の商品コードＣ１等を受信すると（図２３：ＳＴ３０７、Ｙ，ＳＴ３０８）、会員ランクを読出し（図２３：ＳＴ３０９）、会員ランク及び指定商品の商品コードＣ１に基づき、指定商品の割引販売単価Ｓγ１，Ｓγ２を販売管理データテーブルＴＢ１３，１４から読出す（図２３：ＳＴ３１０）。指定商品の関連商品についても同様に、関連商品の割引販売単価Ｓγ１，Ｓγ２を販売管理テーブルＴＢ１３，ＴＢ１４から読出す。
また、販売管理制御手段２３は、非会員・商品購入者の操作に基づき、指定商品の商品コードＣ１等を受信すると（図３２：ＳＴ３０７，Ｎ、ＳＴ３１６）、会員ランクＣ及び指定商品の商品コードＣ１に基づき、会員ランクＣの各販売形態α１，α２の割引販売単価Ｓγ１，Ｓγ２を各販売管理テーブルＴＢ１３，ＴＢ１４から読出す。
続いて、販売管理制御手段２３は、図２３のＳＴ３１１〜ＳＴ３１５を実行する。
【０１３７】
このように、各商品の販売形態α１α２の割引販売単価Ｓγ１，Ｓγ２は、商品管理端末１（商品管理制御手段１４）で予め演算され、販売管理サーバ２にアップロード（送信）するので、販売管理サーバ２（販売管理制御手段１４）では、各販売形態α１，α２の割引販売単価Ｓγ１，Ｓγ２を演算して設定する必要がなく、処理負担を軽減できる。
【０１３８】
以上構成の卸売業・販売単価設定システムＸ（パルテーブルタンクシステム）は、特に、建築・家具金物業界において、個人消費者、リフォーム業、金物卸業、内装工事業、建具・襖製造業等（商品購入者）の市場を対象にする。
従来、建築・家具金物業界は代理店流通が主流の為、製造メーカが販売単価の公開に値崩れの懸念を持ち、ネット通販（ＷＥＢ通販）は積極的に取組まれなかった。また、商品としては種類も多く、長尺製品や低価格商品の多いため、労力の割に利益が見込めず、ネット通販には不向きであった。
卸売業・販売単価設定システムＸでは、各商品の販売形態α１，α２（販売単位β１，β２）の販売単位γ１，γ２、及び各仕入強度デーブルＴＢ３，ＴＢ４（価格帯φ１〜φ８、及び会員ランクＡ〜Ｃ毎の価格掛け率θ１，θ２）によって、割引販売単価Ｓγ１，Ｓγ２及びポイント数τ１，τ２を商品購入者毎に設定できる。これは、単純なランク価格やランクポイントを採用しているネット通販サイトではなし得ない低額から高額商品までカバーした適正価格を、商品購入者に提供できることである。
また、一定期間（商品購入有効期間Ｍ）の購入累積金額ＢＭによって、会員ランクＡ〜Ｃが増減し、会員ランクＡ〜Ｃの増減に伴って、割引販売単価Ｓγ１，Ｓγ２及びポイント数τ１，τ２も連動する。商品購入者は、各商品を購入する程、会員ランクＡ〜Ｃが上位ランクになり、商品購入有効期間Ｍ内に安定的に商品を購入でき、固定購入者への誘導が期待できる。
卸売業・販売単価設定システムＸでは、会員ランクＡ〜Ｃについて、各商品の販売形態α１，α２（販売単位β１，β２）別に割引販売単価Ｓγ１，Ｓγ２、ポイント数τ１，τ２を細かく設定できる。この結果、卸売業者は、低額から高額商品まで販売形態α１，α２（販売単位β１，β２）毎の適正利益を確保しつつ、商品購入者に適正な割引販売単価Ｓγ１，Ｓγ２（及びポント数τ１，τ２）で各商品を提供できることになる。
【産業上の利用可能性】
【０１３９】
本発明は、卸売業において、商品の販売単価（割引単価）を設定するのに最適である。
【符号の説明】
【０１４０】
Ｘ  卸売業・販売単価設定システム
ＤＢ  商品管理データベース
１  商品管理端末
２  販売管理サーバ
３  商品購入者端末
１４  商品管理制御手段
２１販売管理記憶手段
２３  販売管理制御手段
【図１】
2015082229.tif 000003
【図２】
2015082229.tif 000004
【図３】
2015082229.tif 000005
【図４】
2015082229.tif 000006
【図５】
2015082229.tif 000007
【図６】
2015082229.tif 000008
【図７】
2015082229.tif 000009
【図８】
2015082229.tif 000010
【図９】
2015082229.tif 000011
【図１０】
2015082229.tif 000012
【図１１】
2015082229.tif 000013
【図１２】
2015082229.tif 000014
【図１３】
2015082229.tif 000015
【図１４】
2015082229.tif 000016
【図１５】
2015082229.tif 000017
【図１６】
2015082229.tif 000018
【図１７】
2015082229.tif 000019
【図１８】
2015082229.tif 000020
【図１９】
2015082229.tif 000021
【図２０】
2015082229.tif 000022
【図２１】
2015082229.tif 000023
【図２２】
2015082229.tif 000024
【図２３】
2015082229.tif 000025
【図２４】
2015082229.tif 000026
【図２５】
2015082229.tif 000027
【図２６】
2015082229.tif 000028
【図２７】
2015082229.tif 000029
【図２８】
2015082229.tif 000030
【図２９】
2015082229.tif 000031